(57)【要約】【課題】        ジョブの設定の入力を省力化すること。【解決手段】    無線により相互にデータの送受信が可能な携帯型情報端末及び画像形成装置を備えた画像処理システムにおいて、  前記画像形成装置でジョブを実行する際に必要な実行可能機能が設定された機能設定ジョブを記憶する機能設定ジョブ記憶手段（ＫＣ５Ｄ）と、ユーザが指定した前記機能設定ジョブのデータを画像形成装置に送信する実行対象ジョブ情報送信手段（ＫＣ１１）と、を備えた携帯型情報端末と、  実行対象ジョブ情報を受信する実行対象ジョブ情報受信手段と、実行対象ジョブを実行するジョブ制御手段と、を備えた前記画像形成装置とを有する画像処理システム。【選択図】    図４
2005135102.tif 000002
【特許請求の範囲】
【請求項１】
無線により相互にデータの送受信が可能な携帯型情報端末及び画像形成装置を備えた画像処理システムにおいて、下記の構成要件（Ａ01），（Ｂ01）を備えたことを特徴とする画像処理システム、
（Ａ01）前記携帯型情報端末が送信する端末送信情報を受信する端末送信情報受信手段と、
前記画像形成装置において画像形成動作であるジョブを実行する際に実行可能な機能である実行可能機能の全てを記憶する実行可能機能記憶手段と、
所定の前記端末送信情報を受信した場合に、前記端末送信情報を送信した前記携帯型情報端末に対して、前記実行可能機能の全ての情報である全実行可能機能情報を送信する全実行可能機能情報送信手段と、
を備えた前記画像形成装置、
（Ｂ01）前記携帯型情報端末が前記画像形成装置に実行させる前記ジョブであって、前記画像形成装置においてジョブを実行する際に必要な実行可能機能が設定された機能設定ジョブを記憶する機能設定ジョブ記憶手段と、
前記画像形成装置から送信された前記全実行可能機能情報を受信する全実行可能機能情報受信手段と、
前記機能設定ジョブに設定された前記実行可能機能が、受信した前記全実行可能機能に含まれているか否かを判別する機能設定ジョブ可否判別手段と、
前記機能設定ジョブ可否判別手段の判別結果に応じて、前記機能設定ジョブが前記全実行可能機能情報を送信した前記画像形成装置において実行可能であるか否かを示すジョブ実行可能判別結果画像を表示画面に表示するジョブ実行可能判別結果画像表示手段と、
を備えた前記携帯型情報端末。
【請求項２】
下記の構成要件（Ａ01′）を備えたことを特徴とする請求項１記載の画像処理システム、
（Ａ01′）前記携帯型情報端末との間で無線による情報の送受信が可能な端末送受信画像形成装置と、
前記端末送受信画像形成装置にネットワークを介して情報の送受信が可能にネットワーク接続されたネットワーク接続画像形成装置と、
を含む前記画像形成装置。
【請求項３】
下記の構成要件（Ｂ01′）を備えたことを特徴とする請求項１または２のいずれか記載の画像処理システム、
（Ｂ01′）前記画像形成装置が備えている前記全実行可能機能の送信を要求する機能要求情報としての前記端末送信情報。
【請求項４】
無線により相互にデータの送受信が可能な携帯型情報端末及び画像形成装置を備えた画像処理システムにおいて、下記の構成要件（Ａ02），（Ｂ02）を備えたことを特徴とする画像処理システム、
（Ｂ02）前記携帯型情報端末が前記画像形成装置に実行させる前記ジョブであって、前記画像形成装置でジョブを実行する際に必要な実行可能機能が設定された機能設定ジョブを記憶する機能設定ジョブ記憶手段と、
ユーザが指定した前記機能設定ジョブのデータを実行対象ジョブ情報として前記画像形成装置に送信する実行対象ジョブ情報送信手段と、
を備えた前記携帯型情報端末、
（Ａ02）前記携帯型情報端末から送信された実行対象ジョブ情報を受信する実行対象ジョブ情報受信手段と、
実行対象ジョブ情報を受信した場合に、前記実行対象ジョブを実行するジョブ制御手段と、
を備えた前記画像形成装置。
【請求項５】
無線により相互にデータの送受信が可能な携帯型情報端末及び画像形成装置を備えた画像処理システムにおいて、下記の構成要件（Ａ03），（Ｂ03）を備えたことを特徴とする画像処理システム、
（Ａ03）前記画像形成装置において、画像形成動作であるジョブを実行する時に実行可能な機能である実行可能機能の全てを記憶する実行可能機能記憶手段と、
ユーザの入力に応じて前記実行可能機能が設定された機能設定ジョブの設定を行う機能設定ジョブ設定手段と、
前記機能設定ジョブ設定手段で設定された前記機能設定ジョブを装置設定ジョブとして記憶する装置設定ジョブ記憶手段と、
前記装置設定ジョブを実行するジョブ制御手段と、
前記装置設定ジョブが終了した後、前記装置設定ジョブの情報を前記携帯型情報端末に送信する装置設定ジョブ情報送信手段と、
を備えた前記画像形成装置、
（Ｂ03）前記画像形成装置から送信された装置設定ジョブ情報を受信する装置設定ジョブ情報受信手段と、
前記装置設定ジョブ情報を受信した場合に、前記装置設定ジョブを示す装置設定ジョブ画像を表示画面に表示する装置設定ジョブ画像表示手段と、
ユーザの入力に応じて、前記装置設定ジョブを機能設定ジョブとして記憶する機能設定ジョブ記憶手段と、
を備えた前記携帯型情報端末。
【請求項６】
ユーザが携帯可能且つ無線によりデータの送受信が可能な携帯型情報端末と、前記携帯型情報端末と無線により相互にデータの送受信が可能な端末送受信画像形成装置と、前記端末送受信画像形成装置に情報送受信回線でネットワーク接続されたネットワーク接続画像形成装置とを備えた画像処理システムにおいて、下記の構成要件（Ａ04），（Ｂ04）を備えたことを特徴とする画像処理システム、
（Ｂ04）前記携帯型情報端末が前記画像形成装置に実行させるジョブであって、前記端末送受信画像形成装置及びネットワーク接続画像形成装置の少なくともいずれか一方の画像形成装置において画像形成動作であるジョブを実行する際に実行可能な機能である実行可能機能が設定された機能設定ジョブを記憶する機能設定ジョブ記憶手段と、
前記機能設定ジョブを実行可能な画像形成装置を検索する入力がされた場合に、検索対象の前記機能設定ジョブを実行可能な前記画像形成装置を検索することを要求する検索要求情報と、検索対象の機能設定ジョブのデータである検索対象ジョブ情報とを前記端末送受信画像形成装置に送信する検索要求情報送信手段と、
を備えた前記携帯型情報端末、
（Ａ04）前記携帯型情報端末が送信する検索要求情報と、前記検索対象ジョブ情報とを受信する検索要求情報受信手段と、
前記検索要求情報と、前記検索対象ジョブ情報とを受信した場合に、前記ネットワーク接続画像形成装置が前記検索対象ジョブを実行可能であるか否かを判別するための判別情報の送信を要求する判別要求情報を、前記ネットワーク接続画像形成装置に送信する判別要求情報送信手段と、
前記ネットワーク接続画像形成装置から送信される前記判別要求情報に対する応答である判別情報を受信する判別情報受信手段と、
前記判別情報を受信した場合に、前記判別情報に基づいて前記検索対象ジョブを実行可能なネットワーク接続画像形成装置を判別する検索対象ジョブ実行可能装置判別手段と、
前記検索対象ジョブ実行可能装置判別手段による判別結果である検索結果のデータを前記携帯型情報端末に送信する検索結果情報送信手段と、
を備えた端末送受信画像形成装置。
【請求項７】
下記の構成要件（Ｃ01）を備えたことを特徴とする請求項６記載の画像処理システム、
（Ｃ01）前記ネットワーク接続画像形成装置において、前記ジョブを実行する際に実行可能な実行可能機能の全てを記憶する実行可能機能記憶手段と、
前記端末送受信画像形成装置から送信された判別要求情報を受信する判別要求情報受信手段と、
前記判別要求情報を受信した場合に、全ての前記実行可能機能のデータである全実行可能機能情報を前記判別情報として、前記端末送受信画像形成装置に送信する判別情報送信手段と、
を備えた前記ネットワーク接続画像形成装置。
【請求項８】
下記の構成要件（Ｂ04′）を備えたことを特徴とする請求項６または７記載の画像処理システム、
（Ｂ04′）前記端末送受信画像形成装置から送信された検索結果情報を受信する検索結果情報受信手段と、
検索結果情報を受信した場合に、前記検索結果を示す検索結果画像を表示画面に表示する検索結果画像表示手段と、
を備えた前記携帯型情報端末。
【請求項９】
下記の工程（Ｄ01）〜（Ｄ04）を順次実行することを特徴とする画像形成方法、
（Ｄ01）携帯型情報端末から無線送信される所定の端末送信情報を受信した画像形成装置において、画像形成動作であるジョブを実行する際に実行可能な機能である実行可能機能の全てのデータである全実行可能機能情報を前記画像形成装置から前記携帯型情報端末に無線送信する全実行可能機能情報送信工程、
（Ｄ02）前記携帯型情報端末が前記画像形成装置に実行させるジョブであって、前記画像形成装置においてジョブを実行する際に必要な実行可能機能が設定された機能設定ジョブを記憶する前記携帯型情報端末において、前記機能設定ジョブに設定された実行可能機能が、受信した前記全実行可能機能に含まれているか否かを判別する機能設定ジョブ実行可否判別工程、
（Ｄ03）前記全実行可能機能を送信した前記画像形成装置において実行可能であると判別された前記機能設定ジョブであって、ユーザの入力によりジョブの実行開始の指定があった前記機能設定ジョブに設定された前記実行可能機能のデータを前記画像形成装置に対して無線送信する実行対象ジョブ情報送信工程、
（Ｄ04）受信した前記実行可能機能のデータに基づいて、画像形成動作であるジョブを実行する画像形成工程。
【請求項１０】
下記の工程（Ｄ03′），（Ｄ04）を順次実行することを特徴とする画像形成方法、
（Ｄ03′）携帯型情報端末に記憶され、画像形成装置においてジョブを実行する際に実行可能な機能である実行可能機能が設定された機能設定ジョブであって、ユーザの入力によりジョブの実行開始が指定された前記機能設定ジョブに設定された前記実行可能機能のデータを画像形成装置に対して無線送信する実行対象ジョブ情報送信工程、
（Ｄ04）受信した前記実行可能機能のデータに基づいて、画像形成動作であるジョブを実行する画像形成工程。
【請求項１１】
携帯型情報端末との間で無線により情報の送受信が可能な画像形成装置において、下記の構成要件（Ａ01ａ）〜（Ａ01ｃ）を備えたことを特徴とする前記画像形成装置、
（Ａ01ａ）前記携帯型情報端末が送信する端末送信情報を受信する端末送信情報受信手段、
（Ａ01ｂ）前記画像形成装置において画像形成動作であるジョブを実行する際に実行可能な機能である実行可能機能の全てを記憶する実行可能機能記憶手段、
（Ａ01ｃ）所定の前記端末送信情報を受信した場合に、前記端末送信情報を送信した前記携帯型情報端末に対して、前記実行可能機能の全ての情報である全実行可能機能情報を送信する全実行可能機能情報送信手段。
【請求項１２】
画像形成装置がジョブ実行時に実行可能な実行可能機能の全ての情報である全実行可能機能情報を送信する画像形成装置との間で、無線により情報の送受信が可能な携帯型情報端末において、下記の構成要件（Ｂ01ａ）〜（Ｂ01ｄ）を備えたことを特徴とする携帯型情報端末、
（Ｂ01ａ）前記携帯型情報端末が前記画像形成装置に実行させる前記ジョブであって、前記画像形成装置においてジョブを実行する際に必要な実行可能機能が設定された機能設定ジョブを記憶する機能設定ジョブ記憶手段、
（Ｂ01ｂ）前記画像形成装置から送信された前記全実行可能機能情報を受信する全実行可能機能情報受信手段、
（Ｂ01ｃ）前記機能設定ジョブに設定された前記実行可能機能が、受信した前記全実行可能機能に含まれているか否かを判別する機能設定ジョブ可否判別手段、
（Ｂ01ｄ）前記機能設定ジョブ可否判別手段の判別結果に応じて、前記機能設定ジョブが前記全実行可能機能情報を送信した前記画像形成装置において実行可能であるか否かを示すジョブ実行可能判別結果画像を表示画面に表示するジョブ実行可能判別結果画像表示手段。
【請求項１３】
画像形成装置との間で無線により情報の送受信が可能な携帯型情報端末において、下記の構成要件（Ｂ02ａ），（Ｂ02ｂ）を備えたことを特徴とする前記携帯型情報端末、
（Ｂ02ａ）前記携帯型情報端末が前記画像形成装置に実行させる前記ジョブであって、前記画像形成装置でジョブを実行する際に必要な実行可能機能が設定された機能設定ジョブを記憶する機能設定ジョブ記憶手段、
（Ｂ02ｂ）ユーザが指定した前記機能設定ジョブのデータを実行対象ジョブ情報として前記画像形成装置に送信する実行対象ジョブ情報送信手段。
【請求項１４】
画像形成装置が画像形成動作であるジョブを実行する時に実行可能な実行可能機能が設定され且つユーザが指定した実行対象ジョブの情報を送信する携帯型情報端末との間で、無線により情報の送受信が可能な画像形成装置において、下記の構成要件（Ａ02ａ），（Ａ02ｂ）を備えたことを特徴とする前記画像形成装置、
（Ａ02ａ）前記携帯型情報端末から送信された実行対象ジョブ情報を受信する実行対象ジョブ情報受信手段、
（Ａ02ｂ）実行対象ジョブ情報を受信した場合に、前記実行対象ジョブを実行するジョブ制御手段。
【請求項１５】
携帯型情報端末との間で無線により情報の送受信が可能な画像形成装置において、下記の構成要件（Ａ03ａ）〜（Ａ03ｅ）を備えたことを特徴とする前記画像形成装置、
（Ａ03ａ）前記画像形成装置において、画像形成動作であるジョブを実行する時に実行可能な機能である実行可能機能の全てを記憶する実行可能機能記憶手段、
（Ａ03ｂ）ユーザの入力に応じて前記実行可能機能が設定された機能設定ジョブの設定を行う機能設定ジョブ設定手段、
（Ａ03ｃ）前記機能設定ジョブ設定手段で設定された前記機能設定ジョブを装置設定ジョブとして記憶する装置設定ジョブ記憶手段、
（Ａ03ｄ）前記装置設定ジョブを実行するジョブ制御手段、
（Ａ03ｅ）前記装置設定ジョブが終了した後、前記装置設定ジョブの情報を前記携帯型情報端末に送信する装置設定ジョブ情報送信手段。
【請求項１６】
画像形成装置でユーザの入力により設定された装置設定ジョブの情報を送信する前記画像形成装置との間で、無線により情報の送受信が可能な携帯型情報端末において、下記の構成要件（Ｂ03ａ）〜（Ｂ03ｃ）を備えたことを特徴とする前記携帯型情報端末、
（Ｂ03ａ）前記画像形成装置から送信された装置設定ジョブ情報を受信する装置設定ジョブ情報受信手段、
（Ｂ03ｂ）前記装置設定ジョブ情報を受信した場合に、前記装置設定ジョブを示す装置設定ジョブ画像を表示画面に表示する装置設定ジョブ画像表示手段、
（Ｂ03ｃ）ユーザの入力に応じて、前記装置設定ジョブを機能設定ジョブとして記憶する機能設定ジョブ記憶手段。
【請求項１７】
ネットワーク接続画像形成装置と情報送受信回線でネットワーク接続された端末送受信画像形成装置との間で無線により情報の送受信が可能な携帯型情報端末において、下記の構成要件（Ｂ04ａ），（Ｂ04ｂ）を備えたことを特徴とする前記携帯型情報端末、
（Ｂ04ａ）前記携帯型情報端末が前記端末送受信画像形成装置及びネットワーク接続画像形成装置の少なくともいずれか一方の画像形成装置に実行させるジョブであって、前記画像形成装置において画像形成動作であるジョブを実行する際に実行可能な機能である実行可能機能が設定された機能設定ジョブを記憶する機能設定ジョブ記憶手段、
（Ｂ04ｂ）前記機能設定ジョブを実行可能な画像形成装置を検索する入力がされた場合に、検索対象の前記機能設定ジョブを実行可能な前記画像形成装置を検索することを要求する検索要求情報と、検索対象の機能設定ジョブのデータとしての検索対象ジョブ情報とを前記端末送受信画像形成装置に送信する検索要求情報送信手段。
【請求項１８】
画像形成動作であるジョブを実行する時に実行可能な実行可能機能が設定された検索対象ジョブであって、ユーザが検索対象に指定した前記検索対象ジョブを実行可能な画像形成装置の検索を要求する検索要求情報と、検索対象ジョブのデータである検索対象ジョブ情報とを送信する携帯型情報端末との間で、無線により情報の送受信が可能な端末送受信画像形成装置であって、ネットワーク接続画像形成装置と情報送受信回線でネットワーク接続された前記端末送受信画像形成装置において、下記の構成要件（Ａ04ａ）〜（Ａ04ｅ）を備えたことを特徴とする前記端末送受信画像形成装置、
（Ａ04ａ）前記携帯型情報端末が送信する検索要求情報と、前記検索対象ジョブ情報とを受信する検索要求情報受信手段、
（Ａ04ｂ）前記検索要求情報と、前記検索対象ジョブ情報とを受信した場合に、前記ネットワーク接続画像形成装置が前記検索対象ジョブを実行可能であるか否かを判別するための判別情報の送信を要求する判別要求情報を、前記ネットワーク接続画像形成装置に送信する判別要求情報送信手段、
（Ａ04ｃ）前記ネットワーク接続画像形成装置から送信される前記判別要求情報に対する応答である判別情報を受信する判別情報受信手段、
（Ａ04ｄ）前記判別情報を受信した場合に、前記判別情報に基づいて前記検索対象ジョブを実行可能なネットワーク接続画像形成装置を判別する検索対象ジョブ実行可能装置判別手段、
（Ａ04ｅ）前記検索対象ジョブ実行可能装置判別手段による判別結果である検索結果のデータを前記携帯型情報端末に送信する検索結果情報送信手段。
【発明の詳細な説明】
【技術分野】
【０００１】
本発明は、画像形成装置においてジョブを実行する際に実行可能な機能を１つまたは複数組み合わせた機能設定ジョブを実行可能な画像形成装置、前記画像形成装置との間で無線により相互にデータ（情報）の送受信が可能な携帯型情報端末、前記携帯型情報端末と前記画像形成装置とを備えた画像処理システム、前記画像処理システムにおける画像形成方法に関する。
【背景技術】
【０００２】
近年の画像形成装置は、記録画像の拡大・縮小、回転や濃度調節、給紙トレイの選択、ステープル処理やパンチング等の後処理等の多数の実行可能な機能（実行可能機能）を備え複雑化している。そして、このような画像形成装置において、使用環境に応じて所定の機能を組み合わせた定型作業（定型ジョブ）を行う場合、画像形成装置を使用する度にユーザが入力・設定すると面倒である。したがって、前記入力設定作業の省力化の目的のために、画像形成装置内部に記憶装置（ジョブメモリ）を設け、所定の実行可能機能または実行可能機能の組み合わせが設定されたジョブ（機能設定ジョブ）を前記ジョブメモリに記憶させておくことが行われている。
【０００３】
【特許文献１】特開２００２−４９４７３号公報（要約書「解決手段」欄、「００６１」〜「００６５」）
【発明の開示】
【発明が解決しようとする課題】
【０００４】
しかしながら、前記機能設定ジョブの設定は画像形成装置のユーザインタフェース（ＵＩ、入力装置）から入力して行っており、設定方法（即ち、ＵＩの操作方法）が画像形成装置の機種毎に異なる場合がある。また、ジョブの設定は画像形成装置毎に行う必要があり、ある画像形成装置で機能設定ジョブを設定しても、他の画像形成装置ではあらためて設定する必要がある。さらに、画像形成装置毎に有する実行可能機能が異なる場合があるので、ジョブの設定を行う際にユーザが画像形成装置で実行可能な機能を記憶またはマニュアル等を参照して確認する必要がある。これらの結果、複数台の画像形成装置をユーザが使用可能な場合、ユーザの入力操作が複雑、面倒になっていた。
【０００５】
また、近年のネットワーク技術の進展により、画像形成装置がＬＡＮ等のネットワークに接続されることが多くなっていると共に、ユーザ各個人が無線送受信可能な携帯型情報端末を所持することも多くなってきており、携帯型情報端末と画像形成装置とを連携することが考えられている。
【０００６】
前記携帯型情報端末と画像形成装置とを連携させる技術として、下記の技術（Ｊ01）が公知である。
（Ｊ01）特許文献１（特開２００２−４９４７３号公報）記載の技術
特許文献１記載の技術では、ＰＣからプリンタ（画像形成装置）へネットワークを通じて識別データが付されたプリントデータが送信される際に、携帯電話（携帯型情報端末）に無線によって識別データ（ＩＤデータ）が送信される。そして、前記識別データが記憶された携帯電話を保持したユーザがプリンタに近づいた時に、プリンタは識別データに対応するプリントデータの画像形成を実行する。
【０００７】
しかしながら、前記従来技術（Ｊ01）では、携帯電話はプリンタ内の画像データのプリント開始を指示するだけであり、機能としてはリモートスイッチと同様の機能でしかない。即ち、ジョブの設定を省力化することはできない。
【０００８】
本発明は、前述の事情に鑑み、次の記載内容（Ｏ01），（Ｏ02）を技術的課題とする。
（Ｏ01）画像形成装置を使用する際のユーザの作業を省力化すること。
（Ｏ02）画像形成装置で実行するジョブの設定作業の機種依存性をなくすこと。
【課題を解決するための手段】
【０００９】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【００１０】
（第１発明）
前記技術的課題を解決するために第１発明の画像処理システム（Ｓ）は、無線により相互にデータの送受信が可能な携帯型情報端末（１，２）及び画像形成装置（Ｕａ〜Ｕｃ）を備えた画像処理システム（Ｓ）において、下記の構成要件（Ａ01），（Ｂ01）を備えたことを特徴とする。
（Ａ01）前記携帯型情報端末（１，２）が送信する端末送信情報を受信する端末送信情報受信手段（Ｃ１１）と、
前記画像形成装置（Ｕａ〜Ｕｃ）において画像形成動作であるジョブを実行する際に実行可能な機能である実行可能機能の全てを記憶する実行可能機能記憶手段（Ｃ５Ｂ）と、
所定の前記端末送信情報を受信した場合に、前記端末送信情報を送信した前記携帯型情報端末（１，２）に対して、前記実行可能機能の全ての情報である全実行可能機能情報を送信する全実行可能機能情報送信手段（Ｃ１５）と、
を備えた前記画像形成装置（Ｕａ〜Ｕｃ）、
（Ｂ01）前記携帯型情報端末（１，２）が前記画像形成装置（Ｕａ〜Ｕｃ）に実行させる前記ジョブであって、前記画像形成装置（Ｕａ〜Ｕｃ）においてジョブを実行する際に必要な実行可能機能が設定された機能設定ジョブを記憶する機能設定ジョブ記憶手段（ＫＣ５Ｄ）と、
前記画像形成装置（Ｕａ〜Ｕｃ）から送信された前記全実行可能機能情報を受信する全実行可能機能情報受信手段（ＫＣ１）と、
前記機能設定ジョブに設定された前記実行可能機能が、受信した前記全実行可能機能に含まれているか否かを判別する機能設定ジョブ可否判別手段（ＫＣ６）と、
前記機能設定ジョブ可否判別手段（ＫＣ６）の判別結果に応じて、前記機能設定ジョブが前記全実行可能機能情報を送信した前記画像形成装置（Ｕａ〜Ｕｃ）において実行可能であるか否かを示すジョブ実行可能判別結果画像（２３）を表示画面（６）に表示するジョブ実行可能判別結果画像表示手段（ＫＣ７Ａ）と、
を備えた前記携帯型情報端末（１，２）。
【００１１】
（第１発明の作用）
前記構成要件（Ａ01），（Ｂ01）を備えた第１発明の画像処理システム（Ｓ）の画像形成装置（Ｕａ〜Ｕｃ）では、端末送信情報受信手段（Ｃ１１）は、携帯型情報端末（１，２）が送信する端末送信情報を受信する。実行可能機能記憶手段（Ｃ５Ｂ）には、前記画像形成装置（Ｕａ〜Ｕｃ）において画像形成動作であるジョブを実行する際に実行可能な機能である実行可能機能の全てが記憶されている。全実行可能機能情報送信手段（Ｃ１５）は、所定の前記端末送信情報を受信した場合に、前記端末送信情報を送信した前記携帯型情報端末（１，２）に対して、前記実行可能機能の全ての情報である全実行可能機能情報を送信する。
【００１２】
そして、第１発明の画像処理システム（Ｓ）の携帯型情報端末（１，２）では、機能設定ジョブ記憶手段（ＫＣ５Ｄ）には、前記携帯型情報端末（１，２）が前記画像形成装置（Ｕａ〜Ｕｃ）に実行させる前記ジョブであって、前記画像形成装置（Ｕａ〜Ｕｃ）においてジョブを実行する際に必要な実行可能機能が設定された機能設定ジョブが記憶されている。全実行可能機能情報受信手段（ＫＣ１）は、前記画像形成装置（Ｕａ〜Ｕｃ）から送信された前記全実行可能機能情報を受信する。機能設定ジョブ可否判別手段（ＫＣ６）は、前記機能設定ジョブに設定された前記実行可能機能が、受信した前記全実行可能機能に含まれているか否かを判別する。ジョブ実行可能判別結果画像表示手段（ＫＣ７Ａ）は、前記機能設定ジョブ可否判別手段（ＫＣ６）の判別結果に応じて、前記機能設定ジョブが前記全実行可能機能情報を送信した前記画像形成装置（Ｕａ〜Ｕｃ）において実行可能であるか否かを示すジョブ実行可能判別結果画像（２３）を表示画面（６）に表示する。
【００１３】
したがって、第１発明の画像処理システム（Ｓ）では、携帯型情報端末（１，２）を検出したことを示す情報や前記全実行可能機能情報の送信要求の情報等の所定の端末送信情報を画像形成装置（Ｕａ〜Ｕｃ）が受信した場合に全実行可能機能情報が送信される。そして、前記携帯型情報端末（１，２）に記憶されている（登録されている）機能設定ジョブに設定された１つまたは複数の実行可能機能が前記全実行可能機能情報に含まれているか否かが判別される。前記携帯型情報端末（１，２）に記憶された機能設定ジョブに設定される実行可能機能は、前記全実行可能機能情報を送信した画像形成装置（Ｕａ〜Ｕｃ）で実行不可能な実行可能機能を含んでいる場合がある。例えば、無線による情報の送受信が可能な他の画像形成装置（Ｕａ〜Ｕｃ）や前記全実行可能機能を送信した画像形成装置（Ｕａ〜Ｕｃ）にネットワーク接続されている画像形成装置（Ｕａ〜Ｕｃ）で実行可能な機能が機能設定ジョブに設定されている場合がある。さらに、前記全実行可能機能情報を送信した画像形成装置（Ｕａ〜Ｕｃ）にオプションとして追加可能な機能が前記機能設定ジョブに設定されている場合もある。
【００１４】
したがって、前記全実行可能機能を受信し、機能設定ジョブに含まれる実行可能機能と比較することにより、前記機能設定ジョブが全実行可能機能を送信した画像形成装置（Ｕａ〜Ｕｃ）で実行可能であるか否かを判別できる。したがって、自動的に機能設定ジョブが実行可能であるか否かの判別ができ、実行可能な機能設定ジョブをユーザが認識できる。この結果、機能設定ジョブに設定された実行可能機能を画像形成装置（Ｕａ〜Ｕｃ）が備えているか否かをユーザが記憶したりマニュアルで確認したりする手間を省略でき、画像形成装置（Ｕａ〜Ｕｃ）を使用する際のユーザの作業を省力化することができる。
【００１５】
また、携帯型情報端末（１，２）に機能設定ジョブが登録されているので、無線により情報の送受信が可能な画像形成装置（Ｕａ〜Ｕｃ）に、前記携帯型情報端末（１，２）に記憶された機能設定ジョブのデータを無線送信して実行させることができる。したがって、画像形成装置（Ｕａ〜Ｕｃ）毎にジョブを設定する必要が無くなるので作業を省力化できる。さらに、前記携帯型情報端末（１，２）において、前記機能設定ジョブの設定が可能である場合には、機能設定ジョブの登録作業の操作方法が携帯型情報端末（１，２）における操作方法に共通化される（統一される）。したがって、機種毎に操作方法が異なる画像形成装置（Ｕａ〜Ｕｃ）を操作して機能設定ジョブの設定を行う必要がないので、ジョブの設定作業の機種依存性を無くすことができる。
【００１６】
また、前記第１発明の画像処理システム（Ｓ）は、下記の構成要件（Ａ01′）を備えることも可能である。
（Ａ01′）前記携帯型情報端末（１，２）との間で無線による情報の送受信が可能な端末送受信画像形成装置（Ｕａ〜Ｕｃ）と、
前記端末送受信画像形成装置（Ｕａ〜Ｕｃ）にネットワークを介して情報の送受信が可能にネットワーク接続されたネットワーク接続画像形成装置（Ｕａ〜Ｕｃ）と、
を含む前記画像形成装置（Ｕａ〜Ｕｃ）。
【００１７】
前記構成要件（Ａ01′）を備えた第１発明の画像処理システム（Ｓ）では、画像形成装置（Ｕａ〜Ｕｃ）は、前記携帯型情報端末（１，２）との間で無線による情報の送受信が可能な端末送受信画像形成装置（Ｕａ〜Ｕｃ）と、前記端末送受信画像形成装置（Ｕａ〜Ｕｃ）にネットワークを介して情報の送受信が可能にネットワーク接続されたネットワーク接続画像形成装置（Ｕａ〜Ｕｃ）とを含む。
したがって、無線による情報の送受信が可能な端末送受信画像形成装置（Ｕａ〜Ｕｃ）及びネットワーク接続された画像形成装置（Ｕａ〜Ｕｃ）のいずれかの画像形成装置（Ｕａ〜Ｕｃ）でジョブ実行時に実行可能な実行可能機能が設定された機能設定ジョブが、前記全実行可能機能を送信した画像形成装置（Ｕａ〜Ｕｃ）で実行可能であるか否かを判別できる。
【００１８】
また、前記第１発明の画像処理システム（Ｓ）は、下記の構成要件（Ｂ01′）を備えることも可能である。
（Ｂ01′）前記画像形成装置（Ｕａ〜Ｕｃ）が備えている前記全実行可能機能の送信を要求する機能要求情報としての前記端末送信情報。
前記構成要件（Ｂ01′）を備えた画像処理システム（Ｓ）では、前記画像形成装置（Ｕａ〜Ｕｃ）は前記端末送信情報として、前記画像形成装置（Ｕａ〜Ｕｃ）が備えている前記全実行可能機能の送信を要求する機能要求情報を受信する。したがって、携帯型情報端末（１，２）から送信される機能要求情報に応じて、全実行可能機能のデータを送信することができる。
【００１９】
（第２発明）
前記技術的課題を解決するために第２発明の画像処理システム（Ｓ）は、無線により相互にデータの送受信が可能な携帯型情報端末（１，２）及び画像形成装置（Ｕａ〜Ｕｃ）を備えた画像処理システム（Ｓ）において、下記の構成要件（Ａ02），（Ｂ02）を備えたことを特徴とする。
（Ｂ02）前記携帯型情報端末（１，２）が前記画像形成装置（Ｕａ〜Ｕｃ）に実行させる前記ジョブであって、前記画像形成装置（Ｕａ〜Ｕｃ）でジョブを実行する際に必要な実行可能機能が設定された機能設定ジョブを記憶する機能設定ジョブ記憶手段（ＫＣ５Ｄ）と、
ユーザが指定した前記機能設定ジョブのデータを実行対象ジョブ情報として前記画像形成装置（Ｕａ〜Ｕｃ）に送信する実行対象ジョブ情報送信手段（ＫＣ１１）と、
を備えた前記携帯型情報端末（１，２）、
（Ａ02）前記携帯型情報端末（１，２）から送信された実行対象ジョブ情報を受信する実行対象ジョブ情報受信手段（Ｃ１１）と、
実行対象ジョブ情報を受信した場合に、前記実行対象ジョブを実行するジョブ制御手段（Ｃ１）と、
を備えた前記画像形成装置（Ｕａ〜Ｕｃ）。
【００２０】
（第２発明の作用）
前記構成要件（Ａ02），（Ｂ02）を備えた第２発明の画像処理システム（Ｓ）の携帯型情報端末（１，２）では、機能設定ジョブ記憶手段（ＫＣ５Ｄ）は、前記携帯型情報端末（１，２）が前記画像形成装置（Ｕａ〜Ｕｃ）に実行させる前記ジョブであって、前記画像形成装置（Ｕａ〜Ｕｃ）でジョブを実行する際に必要な実行可能機能が設定された機能設定ジョブを記憶する。実行対象ジョブ情報送信手段（ＫＣ１１）は、ユーザが指定した前記機能設定ジョブのデータを実行対象ジョブ情報として前記画像形成装置（Ｕａ〜Ｕｃ）に送信する。
また、前記第２発明の画像処理システム（Ｓ）の画像形成装置（Ｕａ〜Ｕｃ）では、実行対象ジョブ情報受信手段（Ｃ１１）は、前記携帯型情報端末（１，２）から送信された実行対象ジョブ情報を受信する。ジョブ制御手段（Ｃ１）は、実行対象ジョブ情報を受信した場合に、前記実行対象ジョブを実行する。
【００２１】
したがって、第２発明の画像処理システム（Ｓ）では、ユーザの入力により指定された実行対象ジョブのデータ（情報）を受信した画像形成装置（Ｕａ〜Ｕｃ）は、前記実行対象ジョブに設定された実行可能機能に応じたジョブを実行する。この結果、携帯型情報端末（１，２）に記憶された機能設定ジョブが実行されるので、画像形成装置（Ｕａ〜Ｕｃ）毎に機能設定ジョブを設定（登録）する必要が無くなる。したがって、ユーザの作業（機能設定ジョブの設定及び実行）を省力化することができる。また、携帯型情報端末（１，２）のユーザインタフェース（ＵＩ）への入力操作により設定した機能設定ジョブを実行できるので、画像形成装置（Ｕａ〜Ｕｃ）の機能設定ジョブの設定方法（ＵＩの操作方法）を機種毎に記憶したり、マニュアルを見て確認して機能設定ジョブを設定する必要が無くなる。したがって、第２発明の画像処理システム（Ｓ）は、ジョブの設定等の省力化ができると共に、機種依存性を無くすことができる。
【００２２】
（第３発明）
前記技術的課題を解決するための第３発明の画像処理システム（Ｓ）は、無線により相互にデータの送受信が可能な携帯型情報端末（１，２）及び画像形成装置（Ｕａ〜Ｕｃ）を備えた画像処理システム（Ｓ）において、下記の構成要件（Ａ03），（Ｂ03）を備えたことを特徴とする。
（Ａ03）前記画像形成装置（Ｕａ〜Ｕｃ）において、画像形成動作であるジョブを実行する時に実行可能な機能である実行可能機能の全てを記憶する実行可能機能記憶手段（Ｃ５Ｂ）と、
ユーザの入力に応じて前記実行可能機能が設定された機能設定ジョブの設定を行う機能設定ジョブ設定手段（Ｃ５）と、
前記機能設定ジョブ設定手段（Ｃ５）で設定された前記機能設定ジョブを装置設定ジョブとして記憶する装置設定ジョブ記憶手段（Ｃ５Ｃ）と、
前記装置設定ジョブを実行するジョブ制御手段（Ｃ１）と、
前記装置設定ジョブが終了した後、前記装置設定ジョブの情報を前記携帯型情報端末（１，２）に送信する装置設定ジョブ情報送信手段（Ｃ１５）と、
を備えた前記画像形成装置（Ｕａ〜Ｕｃ）、
（Ｂ03）前記画像形成装置（Ｕａ〜Ｕｃ）から送信された装置設定ジョブ情報を受信する装置設定ジョブ情報受信手段（ＫＣ１）と、
前記装置設定ジョブ情報を受信した場合に、前記装置設定ジョブを示す装置設定ジョブ画像（２２）を表示画面（６）に表示する装置設定ジョブ画像表示手段（ＫＣ５Ｃ）と、
ユーザの入力に応じて、前記装置設定ジョブを機能設定ジョブとして記憶する機能設定ジョブ記憶手段（ＫＣ５Ｄ）と、
を備えた前記携帯型情報端末（１，２）。
【００２３】
（第３発明の作用）
前記構成要件（Ａ03），（Ｂ03）を備えた第３発明の画像処理システム（Ｓ）の画像形成装置（Ｕａ〜Ｕｃ）では、実行可能機能記憶手段（Ｃ５Ｂ）は、前記画像形成装置（Ｕａ〜Ｕｃ）において、画像形成動作であるジョブを実行する時に実行可能な機能である実行可能機能の全てを記憶する。機能設定ジョブ設定手段（Ｃ５）は、ユーザの入力に応じて前記実行可能機能が設定された機能設定ジョブの設定を行う。装置設定ジョブ記憶手段（Ｃ５Ｃ）は、前記機能設定ジョブ設定手段（Ｃ５）で設定された前記機能設定ジョブを装置設定ジョブとして記憶する。ジョブ制御手段（Ｃ１）は、前記装置設定ジョブを実行する。装置設定ジョブ情報送信手段（Ｃ１５）は、前記装置設定ジョブが終了した後、前記装置設定ジョブの情報を前記携帯型情報端末（１，２）に送信する。
【００２４】
そして、前記第３発明の画像処理システム（Ｓ）の携帯型情報端末（１，２）では、装置設定ジョブ情報受信手段（ＫＣ１）は、前記画像形成装置（Ｕａ〜Ｕｃ）から送信された装置設定ジョブ情報を受信する。装置設定ジョブ画像表示手段（ＫＣ５Ｃ）は、前記装置設定ジョブ情報を受信した場合に、前記装置設定ジョブを示す装置設定ジョブ画像（２２）を表示画面（６）に表示する。機能設定ジョブ記憶手段（ＫＣ５Ｄ）は、ユーザの入力に応じて、前記装置設定ジョブを機能設定ジョブとして記憶する。
【００２５】
したがって、前記第３発明の画像処理システム（Ｓ）では、画像形成装置（Ｕａ〜Ｕｃ）でユーザの入力により設定された装置設定ジョブの終了後、前記装置設定ジョブのデータ（情報）が携帯型情報端末（１，２）に送信される。そして、前記装置設定ジョブ情報を携帯型情報端末（１，２）において、機能設定ジョブとして記憶できる。この結果、画像形成装置（Ｕａ〜Ｕｃ）で１度入力して設定した機能設定ジョブ（装置設定ジョブ）を再び実行する際に、画像形成装置（Ｕａ〜Ｕｃ）のユーザインタフェース（ＵＩ）から入力して設定する必要が無くなる。また、他の画像形成装置（Ｕａ〜Ｕｃ）で装置設定ジョブを実行する場合に、記憶した機能設定ジョブ（装置設定ジョブ）のデータを無線送信して実行させることにより、他の画像形成装置（Ｕａ〜Ｕｃ）で入力を行う必要もなくなる。したがって、第３発明の画像処理システム（Ｓ）では、一度実行した機能設定ジョブを実行する際に、画像形成装置（Ｕａ〜Ｕｃ）のＵＩから入力する必要が無いので、ユーザの作業（機能設定ジョブの設定作業）を省力化でき、設定作業の機種依存性を無くすことができる。
【００２６】
（第４発明）
前記技術的課題を解決するために、第４発明の画像処理システム（Ｓ）は、ユーザが携帯可能且つ無線によりデータの送受信が可能な携帯型情報端末（１，２）と、前記携帯型情報端末（１，２）と無線により相互にデータの送受信が可能な端末送受信画像形成装置（Ｕａ〜Ｕｃ）と、前記端末送受信画像形成装置（Ｕａ〜Ｕｃ）に情報送受信回線でネットワーク接続されたネットワーク接続画像形成装置（Ｕａ〜Ｕｃ）とを備えた画像処理システム（Ｓ）において、下記の構成要件（Ａ04），（Ｂ04）を備えたことを特徴とする。
（Ｂ04）前記携帯型情報端末（１，２）が前記画像形成装置（Ｕａ〜Ｕｃ）に実行させるジョブであって、前記端末送受信画像形成装置（Ｕａ〜Ｕｃ）及びネットワーク接続画像形成装置（Ｕａ〜Ｕｃ）の少なくともいずれか一方の画像形成装置（Ｕａ〜Ｕｃ）において画像形成動作であるジョブを実行する際に実行可能な機能である実行可能機能が設定された機能設定ジョブを記憶する機能設定ジョブ記憶手段（ＫＣ５Ｄ）と、
前記機能設定ジョブを実行可能な画像形成装置（Ｕａ〜Ｕｃ）を検索する入力がされた場合に、検索対象の前記機能設定ジョブを実行可能な前記画像形成装置（Ｕａ〜Ｕｃ）を検索することを要求する検索要求情報と、検索対象の機能設定ジョブのデータである検索対象ジョブ情報とを前記端末送受信画像形成装置（Ｕａ〜Ｕｃ）に送信する検索要求情報送信手段（ＫＣ１１）、
（Ａ04）前記携帯型情報端末（１，２）が送信する検索要求情報と、前記検索対象ジョブ情報とを受信する検索要求情報受信手段（Ｃ１１）と、
前記検索要求情報と、前記検索対象ジョブ情報とを受信した場合に、前記ネットワーク接続画像形成装置（Ｕａ〜Ｕｃ）が前記検索対象ジョブを実行可能であるか否かを判別するための判別情報の送信を要求する判別要求情報を、前記ネットワーク接続画像形成装置（Ｕａ〜Ｕｃ）に送信する判別要求情報送信手段（Ｃ２８）と、
前記ネットワーク接続画像形成装置（Ｕａ〜Ｕｃ）から送信される前記判別要求情報に対する応答である判別情報を受信する判別情報受信手段（Ｃ２１）と、
前記判別情報を受信した場合に、前記判別情報に基づいて前記検索対象ジョブを実行可能なネットワーク接続画像形成装置（Ｕａ〜Ｕｃ）を判別する検索対象ジョブ実行可能装置判別手段（Ｃ２６）と、
前記検索対象ジョブ実行可能装置判別手段（Ｃ２６）による判別結果である検索結果のデータを前記携帯型情報端末（１，２）に送信する検索結果情報送信手段（Ｃ１５）と、
を備えた端末送受信画像形成装置（Ｕａ〜Ｕｃ）。
【００２７】
（第４発明の作用）
前記構成要件（Ａ04），（Ｂ04）を備えた第４発明の画像処理システム（Ｓ）の携帯型情報端末（１，２）では、機能設定ジョブ記憶手段（ＫＣ５Ｄ）は、前記携帯型情報端末（１，２）が前記画像形成装置（Ｕａ〜Ｕｃ）に実行させるジョブであって、前記端末送受信画像形成装置（Ｕａ〜Ｕｃ）及びネットワーク接続画像形成装置（Ｕａ〜Ｕｃ）の少なくともいずれか一方の画像形成装置（Ｕａ〜Ｕｃ）において画像形成動作であるジョブを実行する際に実行可能な機能である実行可能機能が設定された機能設定ジョブを記憶する。検索要求情報送信手段（ＫＣ１１）は、前記機能設定ジョブを実行可能な画像形成装置（Ｕａ〜Ｕｃ）を検索する入力がされた場合に、検索対象の前記機能設定ジョブを実行可能な前記画像形成装置（Ｕａ〜Ｕｃ）を検索することを要求する検索要求情報と、検索対象の機能設定ジョブのデータとしての検索対象ジョブ情報とを前記端末送受信画像形成装置（Ｕａ〜Ｕｃ）に送信する。
【００２８】
そして、第４発明の画像処理システム（Ｓ）の端末送受信画像形成装置（Ｕａ〜Ｕｃ）では、検索要求情報受信手段（Ｃ１１）は、前記携帯型情報端末（１，２）が送信する検索要求情報と、前記検索対象ジョブ情報とを受信する。判別要求情報送信手段（Ｃ２８）は、前記検索要求情報と、前記検索対象ジョブ情報とを受信した場合に、前記ネットワーク接続画像形成装置（Ｕａ〜Ｕｃ）が前記検索対象ジョブを実行可能であるか否かを判別するための判別情報の送信を要求する判別要求情報を、前記ネットワーク接続画像形成装置（Ｕａ〜Ｕｃ）に送信する。判別情報受信手段（Ｃ２１）は、前記ネットワーク接続画像形成装置（Ｕａ〜Ｕｃ）から送信される前記判別要求情報に対する応答である判別情報を受信する。検索対象ジョブ実行可能装置判別手段（Ｃ２６）は、前記判別情報を受信した場合に、前記判別情報に基づいて前記検索対象ジョブを実行可能なネットワーク接続画像形成装置（Ｕａ〜Ｕｃ）を判別する。検索結果情報送信手段（Ｃ１５）は、前記検索対象ジョブ実行可能装置判別手段（Ｃ２６）による判別結果である検索結果のデータを前記携帯型情報端末（１，２）に送信する。
【００２９】
したがって、第４発明の画像処理システム（Ｓ）は、携帯型情報端末（１，２）から送信された検索対象ジョブが実行可能であるか否かを判別するための判別情報がネットワーク接続画像形成装置（Ｕａ〜Ｕｃ）から送信される。そして、前記判別情報に基づいて、実行可能な画像形成装置（Ｕａ〜Ｕｃ）が判別され、その判別結果（検索結果）が携帯型情報端末（１，２）に送信される。この結果、携帯型情報端末（１，２）に記憶された機能設定ジョブが実行可能な画像形成装置（Ｕａ〜Ｕｃ）を、画像形成装置（Ｕａ〜Ｕｃ）のユーザインタフェースに入力すること無く、検索することが可能となる。即ち、機能設定ジョブが実行可能な画像形成装置（Ｕａ〜Ｕｃ）を検出するための入力作業を省力化できると共に、携帯型情報端末（１，２）の操作により検索作業が実行できるので、画像形成装置（Ｕａ〜Ｕｃ）のＵＩの操作方法を機種毎に記憶したりマニュアルを確認する必要が無くなるので、機種依存性を無くすことができる。
【００３０】
また、機能設定ジョブを実行できる画像形成装置（Ｕａ〜Ｕｃ）を検索できるので、ユーザが各画像形成装置（Ｕａ〜Ｕｃ）（端末送受信画像形成装置（Ｕａ〜Ｕｃ）及びネットワーク接続画像形成装置（Ｕａ〜Ｕｃ））が有している実行可能機能を記憶する必要が無くなる。この結果、ユーザが実行したい機能設定ジョブの実行可能機能を有する画像形成装置（Ｕａ〜Ｕｃ）を速やかに認識でき、実行可能な画像形成装置（Ｕａ〜Ｕｃ）で実行したい機能設定ジョブを速やかに実行できる。
【００３１】
また、前記第４発明の画像処理システム（Ｓ）は、下記の構成要件（Ｃ01）を備えることも可能である。
（Ｃ01）前記ネットワーク接続画像形成装置（Ｕａ〜Ｕｃ）において、前記ジョブを実行する際に実行可能な実行可能機能の全てを記憶する実行可能機能記憶手段（Ｃ５Ｂ）と、
前記端末送受信画像形成装置（Ｕａ〜Ｕｃ）から送信された判別要求情報を受信する判別要求情報受信手段（Ｃ２１）と、
前記判別要求情報を受信した場合に、全ての前記実行可能機能のデータである全実行可能機能情報を前記判別情報として、前記端末送受信画像形成装置（Ｕａ〜Ｕｃ）に送信する判別情報送信手段（Ｃ２８）と、
を備えた前記ネットワーク接続画像形成装置（Ｕａ〜Ｕｃ）。
【００３２】
前記構成要件（Ｃ01）を備えた第４発明の画像処理システム（Ｓ）のネットワーク接続画像形成装置（Ｕａ〜Ｕｃ）では、実行可能機能記憶手段（Ｃ５Ｂ）は、前記ネットワーク接続画像形成装置（Ｕａ〜Ｕｃ）において、前記ジョブを実行する際に実行可能な実行可能機能の全てを記憶する。判別要求情報受信手段（Ｃ２１）は、前記端末送受信画像形成装置（Ｕａ〜Ｕｃ）から送信された判別要求情報を受信する。判別情報送信手段（Ｃ２８）は、前記判別要求情報を受信した場合に、全ての前記実行可能機能のデータである全実行可能機能情報を前記判別情報として、前記端末送受信画像形成装置（Ｕａ〜Ｕｃ）に送信する。
【００３３】
したがって、前記構成要件（Ｃ01）を備えた第４発明の画像処理システム（Ｓ）は、ネットワーク接続画像形成装置（Ｕａ〜Ｕｃ）の全実行可能機能のデータが判別情報として送信される。したがって、前記全実行可能機能のデータを受信した端末送受信画像形成装置（Ｕａ〜Ｕｃ）は、検索対象ジョブに設定された実行可能機能と、ネットワーク接続画像形成装置（Ｕａ〜Ｕｃ）から送信された全実行可能機能とを比較することにより、ネットワーク接続画像形成装置（Ｕａ〜Ｕｃ）で検索対象ジョブが実行可能であるか否かを判別できる。
【００３４】
また、前記第４発明の画像処理システム（Ｓ）は、下記の構成要件（Ｂ04′）を備えることも可能である。
（Ｂ04′）前記端末送受信画像形成装置（Ｕａ〜Ｕｃ）から送信された検索結果情報を受信する検索結果情報受信手段（ＫＣ１）と、
検索結果情報を受信した場合に、前記検索結果を示す検索結果画像（２６）を表示画面（６）に表示する検索結果画像表示手段（ＫＣ７Ｆ）と、
を備えた前記携帯型情報端末（１，２）。
【００３５】
前記構成要件（Ｂ04′）を備えた第４発明の画像処理システム（Ｓ）では、携帯型情報端末（１，２）の検索結果情報受信手段（ＫＣ１）は、前記端末送受信画像形成装置（Ｕａ〜Ｕｃ）から送信された検索結果情報を受信する。検索結果画像表示手段（ＫＣ７Ｆ）は、検索結果情報を受信した場合に、前記検索結果を示す検索結果画像（２６）を表示画面（６）に表示する。
したがって、ユーザは、前記検索結果画像（２６）を確認することによって、検索対象ジョブが実行可能な画像形成装置（Ｕａ〜Ｕｃ）を確認することができる。
【００３６】
（第５発明）
前記技術的課題を解決するために第５発明の画像形成方法は、下記の工程（Ｄ01）〜（Ｄ04）を順次実行することを特徴とする。
（Ｄ01）携帯型情報端末（１，２）から無線送信される所定の端末送信情報を受信した画像形成装置（Ｕａ〜Ｕｃ）において、画像形成動作であるジョブを実行する際に実行可能な機能である実行可能機能の全てのデータである全実行可能機能情報を前記画像形成装置（Ｕａ〜Ｕｃ）から前記携帯型情報端末（１，２）に無線送信する全実行可能機能情報送信工程、
（Ｄ02）前記携帯型情報端末（１，２）が前記画像形成装置（Ｕａ〜Ｕｃ）に実行させるジョブであって、前記画像形成装置（Ｕａ〜Ｕｃ）においてジョブを実行する際に必要な実行可能機能が設定された機能設定ジョブを記憶する前記携帯型情報端末（１，２）において、前記機能設定ジョブに設定された実行可能機能が、受信した前記全実行可能機能に含まれているか否かを判別する機能設定ジョブ実行可否判別工程、
（Ｄ03）前記全実行可能機能を送信した前記画像形成装置（Ｕａ〜Ｕｃ）において実行可能であると判別された前記機能設定ジョブであって、ユーザの入力によりジョブの実行開始の指定があった前記機能設定ジョブに設定された前記実行可能機能のデータを前記画像形成装置（Ｕａ〜Ｕｃ）に対して無線送信する実行対象ジョブ情報送信工程、
（Ｄ04）受信した前記実行可能機能のデータに基づいて、画像形成動作であるジョブを実行する画像形成工程。
【００３７】
（第５発明の作用）
前記工程（Ｄ01）〜（Ｄ04）を実行する第５発明の画像形成方法の全実行可能機能情報送信工程では、携帯型情報端末（１，２）から無線送信される所定の端末送信情報を受信した画像形成装置（Ｕａ〜Ｕｃ）において、画像形成動作であるジョブを実行する際に実行可能な機能である実行可能機能の全てのデータである全実行可能機能情報を前記画像形成装置（Ｕａ〜Ｕｃ）から前記携帯型情報端末（１，２）に無線送信する。機能設定ジョブ実行可否判別工程では、前記携帯型情報端末（１，２）が前記画像形成装置（Ｕａ〜Ｕｃ）に実行させるジョブであって、前記画像形成装置（Ｕａ〜Ｕｃ）においてジョブを実行する際に必要な実行可能機能が設定された機能設定ジョブを記憶する前記携帯型情報端末（１，２）において、前記機能設定ジョブに設定された実行可能機能が、受信した前記全実行可能機能に含まれているか否かを判別する。
【００３８】
実行対象ジョブ情報送信工程では、前記全実行可能機能を送信した前記画像形成装置（Ｕａ〜Ｕｃ）において実行可能であると判別された前記機能設定ジョブであって、ユーザの入力によりジョブの実行開始の指定があった前記機能設定ジョブに設定された前記実行可能機能のデータを前記画像形成装置（Ｕａ〜Ｕｃ）に対して無線送信する。画像形成工程では、受信した前記実行可能機能のデータに基づいて、画像形成動作であるジョブを実行する。
【００３９】
したがって、第５発明の画像形成方法では、全実行可能機能情報送信工程で画像形成装置（Ｕａ〜Ｕｃ）から送信される全実行可能機能情報に基づいて、携帯型情報端末（１，２）に記憶された機能設定ジョブが実行可能であるか否かが判別される。そして、ユーザが指定した実行可能な機能設定ジョブに基づいてジョブが実行され、画像が形成される。したがって、機能設定ジョブが画像形成装置（Ｕａ〜Ｕｃ）で実行可能であるか否かを自動的に判別できるので、画像形成装置（Ｕａ〜Ｕｃ）が有する実行可能機能をユーザが記憶等する必要が無くなる。したがって、ユーザの作業を省力化できると共に、異なる実行可能機能を有する画像形成装置（Ｕａ〜Ｕｃ）毎に機能設定ジョブが実行可能であるか否かを携帯型情報端末（１，２）で判別できるので、判別作業の機種依存性を無くすことができる。
【００４０】
また、実行可能な機能設定ジョブの情報を画像形成装置（Ｕａ〜Ｕｃ）に送信してジョブを実行するので、ユーザが画像形成装置（Ｕａ〜Ｕｃ）のＵＩを操作してジョブの設定を行う作業が必要なくなる。この結果、携帯型情報端末（１，２）のＵＩを操作するだけでジョブを実行でき、画像形成装置（Ｕａ〜Ｕｃ）のＵＩの操作方法を記憶する必要が無くなる。したがって、ユーザの作業を省力化できると共に、画像形成装置（Ｕａ〜Ｕｃ）のＵＩの操作方法に依存せずジョブを実行できる。
【００４１】
（第６発明）
前記技術的課題を解決するために第６発明の画像形成方法は、下記の工程（Ｄ03′），（Ｄ04）を順次実行することを特徴とする。
（Ｄ03′）携帯型情報端末（１，２）に記憶され、画像形成装置（Ｕａ〜Ｕｃ）においてジョブを実行する際に実行可能な機能である実行可能機能が設定された機能設定ジョブであって、ユーザの入力によりジョブの実行開始が指定された前記機能設定ジョブに設定された前記実行可能機能のデータを画像形成装置（Ｕａ〜Ｕｃ）に対して無線送信する実行対象ジョブ情報送信工程、
（Ｄ04）受信した前記実行可能機能のデータに基づいて、画像形成動作であるジョブを実行する画像形成工程。
【００４２】
（第６発明の作用）
前記工程（Ｄ03′），（Ｄ04）を実行する第６発明の画像形成方法の実行対象ジョブ情報送信工程では、携帯型情報端末（１，２）に記憶され、画像形成装置（Ｕａ〜Ｕｃ）においてジョブを実行する際に実行可能な機能である実行可能機能が設定された機能設定ジョブであって、ユーザの入力によりジョブの実行開始が指定された前記機能設定ジョブに設定された前記実行可能機能のデータを画像形成装置（Ｕａ〜Ｕｃ）に対して無線送信する。そして、画像形成工程では、受信した前記実行可能機能のデータに基づいて、画像形成動作であるジョブを実行する。
【００４３】
したがって、前記第６発明の画像形成方法では、携帯型情報端末（１，２）に記憶された機能設定ジョブを画像形成装置（Ｕａ〜Ｕｃ）に無線送信することによって、機能設定ジョブに基づいてジョブが実行される。したがって、ユーザが画像形成装置（Ｕａ〜Ｕｃ）のユーザインタフェース（ＵＩ）を操作してジョブの設定を行う作業が必要なくなる。この結果、携帯型情報端末（１，２）のＵＩを操作するだけでジョブを実行でき、機種毎に異なる画像形成装置（Ｕａ〜Ｕｃ）のＵＩの操作方法を記憶したり、マニュアル等を参照して確認する必要が無くなる。したがって、ユーザの作業を省力化できると共に、画像形成装置（Ｕａ〜Ｕｃ）の機種依存性を無くすことができる。
【００４４】
（第７発明）
前記技術的課題を解決するために第７発明の画像形成装置（Ｕａ〜Ｕｃ）は、携帯型情報端末（１，２）との間で無線により情報の送受信が可能な画像形成装置（Ｕａ〜Ｕｃ）において、下記の構成要件（Ａ01ａ）〜（Ａ01ｃ）を備えたことを特徴とする。
（Ａ01ａ）携帯型情報端末（１，２）が送信する端末送信情報を受信する端末送信情報受信手段（Ｃ１１）、
（Ａ01ｂ）前記画像形成装置（Ｕａ〜Ｕｃ）において画像形成動作であるジョブを実行する際に実行可能な機能である実行可能機能の全てを記憶する実行可能機能記憶手段（Ｃ５Ｂ）、
（Ａ01ｃ）所定の前記端末送信情報を受信した場合に、前記端末送信情報を送信した前記携帯型情報端末（１，２）に対して、前記実行可能機能の全ての情報である全実行可能機能情報を送信する全実行可能機能情報送信手段（Ｃ１５）。
【００４５】
（第７発明の作用）
前記構成要件（Ａ01ａ）〜（Ａ01ｃ）を備えた第７発明の画像形成装置（Ｕａ〜Ｕｃ）では、端末送信情報受信手段（Ｃ１１）は、携帯型情報端末（１，２）が送信する端末送信情報を受信する。実行可能機能記憶手段（Ｃ５Ｂ）は、前記画像形成装置（Ｕａ〜Ｕｃ）において画像形成動作であるジョブを実行する際に実行可能な機能である実行可能機能の全てを記憶する。全実行可能機能情報送信手段（Ｃ１５）は、所定の前記端末送信情報を受信した場合に、前記端末送信情報を送信した前記携帯型情報端末（１，２）に対して、前記実行可能機能の全ての情報である全実行可能機能情報を送信する。
【００４６】
したがって、前記第７発明の画像形成装置（Ｕａ〜Ｕｃ）では、携帯型情報端末（１，２）から送信された所定の端末送信情報（携帯型情報端末（１，２）を検出したことを示す情報や、画像形成装置（Ｕａ〜Ｕｃ）の全実行可能機能の送信を要求する情報等）を受信した場合に、画像形成装置（Ｕａ〜Ｕｃ）から全実行可能機能情報が送信される。前記全実行可能機能情報を受信した携帯型情報端末（１，２）では、前記全実行可能機能情報に基づいて、各種処理を実行できる。例えば、前記携帯型情報端末（１，２）に実行可能機能が設定された機能設定ジョブが記憶されている場合に、前記全実行可能機能情報を送信した第７発明の画像形成装置（Ｕａ〜Ｕｃ）において、前記機能設定ジョブが実行可能であるか否かを判別できる。したがって、自動的に機能設定ジョブが実行可能であるか否かの判別ができ、実行可能な機能設定ジョブをユーザが認識できる。この結果、機能設定ジョブに設定された実行可能機能を画像形成装置（Ｕａ〜Ｕｃ）が備えているか否かをユーザが記憶したりマニュアルで確認したりする手間を省略でき、画像形成装置（Ｕａ〜Ｕｃ）を使用する際のユーザの作業を省力化することができる。
【００４７】
また、携帯型情報端末（１，２）で機能設定ジョブの設定を行うことができる場合、受信した全実行可能機能の範囲内でジョブの設定を可能とすることによって、第７発明の画像形成装置（Ｕａ〜Ｕｃ）で実行可能な機能設定ジョブの設定を携帯型情報端末（１，２）で行うことができる。したがって、全実行可能機能情報を送信することによって、携帯型情報端末（１，２）において、画像形成装置（Ｕａ〜Ｕｃ）で実行可能な機能設定ジョブの設定を行うことができる。この結果、画像形成装置（Ｕａ〜Ｕｃ）のユーザインタフェース（ＵＩ）において機能設定ジョブの入力を行う必要が無くなるので、画像形成装置（Ｕａ〜Ｕｃ）のＵＩの操作方法を記憶する必要が無く、機能設定ジョブの設定を行う際の操作方法が携帯型情報端末（１，２）の操作方法に統一される。したがって、画像形成装置（Ｕａ〜Ｕｃ）の機種依存性を無くすことができる。
【００４８】
（第８発明）
前記技術的課題を解決するために第８発明の携帯型情報端末（１，２）は、画像形成装置（Ｕａ〜Ｕｃ）がジョブ実行時に実行可能な実行可能機能の全ての情報である全実行可能機能情報を送信する画像形成装置（Ｕａ〜Ｕｃ）との間で、無線により情報の送受信が可能な携帯型情報端末（１，２）において、下記の構成要件（Ｂ01ａ）〜（Ｂ01ｄ）を備えたことを特徴とする。
（Ｂ01ａ）前記携帯型情報端末（１，２）が前記画像形成装置（Ｕａ〜Ｕｃ）に実行させる前記ジョブであって、前記画像形成装置（Ｕａ〜Ｕｃ）においてジョブを実行する際に必要な実行可能機能が設定された機能設定ジョブを記憶する機能設定ジョブ記憶手段（ＫＣ５Ｄ）、
（Ｂ01ｂ）前記画像形成装置（Ｕａ〜Ｕｃ）から送信された前記全実行可能機能情報を受信する全実行可能機能情報受信手段（ＫＣ１）、
（Ｂ01ｃ）前記機能設定ジョブに設定された前記実行可能機能が、受信した前記全実行可能機能に含まれているか否かを判別する機能設定ジョブ可否判別手段（ＫＣ６）、
（Ｂ01ｄ）前記機能設定ジョブ可否判別手段（ＫＣ６）の判別結果に応じて、前記機能設定ジョブが前記全実行可能機能情報を送信した前記画像形成装置（Ｕａ〜Ｕｃ）において実行可能であるか否かを示すジョブ実行可能判別結果画像（２３）を表示画面（６）に表示するジョブ実行可能判別結果画像表示手段（ＫＣ７Ａ）。
【００４９】
（第８発明の作用）
前記構成要件（Ｂ01ａ）〜（Ｂ01ｄ）を備えた第８発明の携帯型情報端末（１，２）では、機能設定ジョブ記憶手段（ＫＣ５Ｄ）は、前記携帯型情報端末（１，２）が前記画像形成装置（Ｕａ〜Ｕｃ）に実行させる前記ジョブであって、前記画像形成装置（Ｕａ〜Ｕｃ）においてジョブを実行する際に必要な実行可能機能が設定された機能設定ジョブを記憶する。全実行可能機能情報受信手段（ＫＣ１）は、前記画像形成装置（Ｕａ〜Ｕｃ）から送信された前記全実行可能機能情報を受信する。機能設定ジョブ可否判別手段（ＫＣ６）は、前記機能設定ジョブに設定された前記実行可能機能が、受信した前記全実行可能機能に含まれているか否かを判別する。ジョブ実行可能判別結果画像表示手段（ＫＣ７Ａ）は、前記機能設定ジョブ可否判別手段（ＫＣ６）の判別結果に応じて、前記機能設定ジョブが前記全実行可能機能情報を送信した前記画像形成装置（Ｕａ〜Ｕｃ）において実行可能であるか否かを示すジョブ実行可能判別結果画像（２３）を表示画面（６）に表示する。
【００５０】
したがって、前記第８発明の携帯型情報端末（１，２）では、画像形成装置（Ｕａ〜Ｕｃ）から無線送信された全実行可能機能情報に基づいて、第８発明の携帯型情報端末（１，２）に記憶された機能設定ジョブが、前記画像形成装置（Ｕａ〜Ｕｃ）で実行可能であるか否かを自動的に判別できる。この結果、前記画像形成装置（Ｕａ〜Ｕｃ）の実行可能機能をユーザが記憶したり、マニュアルを確認したりしなくても、自動的に機能設定ジョブが実行可能であるか否かをジョブ実行可能判別結果画像（２３）を見てユーザが認識できる。したがって、ユーザの作業（マニュアルの確認等）を省力化することができる。
【００５１】
また、携帯型情報端末（１，２）に機能設定ジョブが登録されているので、無線により情報の送受信が可能な画像形成装置（Ｕａ〜Ｕｃ）に、前記携帯型情報端末（１，２）に記憶された機能設定ジョブのデータを無線送信して実行させることができる。したがって、画像形成装置（Ｕａ〜Ｕｃ）毎にジョブを設定する必要が無くなるので作業を省力化できる。
さらに、前記携帯型情報端末（１，２）において、前記機能設定ジョブの設定が可能である場合には、機能設定ジョブの登録作業の操作方法が携帯型情報端末（１，２）における操作方法に共通化される（統一される）。即ち、登録作業の機種依存性を無くすことができる。
【００５２】
（第９発明）
前記技術的課題を解決するために第９発明の携帯型情報端末（１，２）は、画像形成装置（Ｕａ〜Ｕｃ）との間で無線により情報の送受信が可能な携帯型情報端末（１，２）において、下記の構成要件（Ｂ02ａ），（Ｂ02ｂ）を備えたことを特徴とする。
（Ｂ02ａ）前記携帯型情報端末（１，２）が前記画像形成装置（Ｕａ〜Ｕｃ）に実行させる前記ジョブであって、前記画像形成装置（Ｕａ〜Ｕｃ）でジョブを実行する際に必要な実行可能機能が設定された機能設定ジョブを記憶する機能設定ジョブ記憶手段（ＫＣ５Ｄ）、
（Ｂ02ｂ）ユーザが指定した前記機能設定ジョブのデータを実行対象ジョブ情報として前記画像形成装置（Ｕａ〜Ｕｃ）に送信する実行対象ジョブ情報送信手段（ＫＣ１１）。
【００５３】
（第９発明の作用）
前記構成要件（Ｂ02ａ），（Ｂ02ｂ）を備えた第９発明の携帯型情報端末（１，２）では、機能設定ジョブ記憶手段（ＫＣ５Ｄ）は、前記携帯型情報端末（１，２）が前記画像形成装置（Ｕａ〜Ｕｃ）に実行させる前記ジョブであって、前記画像形成装置（Ｕａ〜Ｕｃ）でジョブを実行する際に必要な実行可能機能が設定された機能設定ジョブを記憶する。実行対象ジョブ情報送信手段（ＫＣ１１）は、ユーザが指定した前記機能設定ジョブのデータを実行対象ジョブ情報として前記画像形成装置（Ｕａ〜Ｕｃ）に送信する。
【００５４】
したがって、前記第９発明の携帯型情報端末（１，２）では、実行対象ジョブが画像形成装置（Ｕａ〜Ｕｃ）に送信されて、前記実行対象ジョブに設定された実行可能機能に基づいてジョブが実行される。したがって、携帯型情報端末（１，２）に記憶された機能設定ジョブ（実行対象ジョブ）が実行されるので、画像形成装置（Ｕａ〜Ｕｃ）毎にユーザインタフェースＵＩを操作して、機能設定ジョブを設定（登録）する必要が無くなる。したがって、ユーザの作業（ジョブの設定）を省力化することができる。また、携帯型情報端末（１，２）のユーザインタフェース（ＵＩ）への入力操作により設定した機能設定ジョブを実行できるので、画像形成装置（Ｕａ〜Ｕｃ）の機能設定ジョブの設定方法（ＵＩの操作方法）を機種毎に記憶したり、マニュアルを見て確認する必要が無くなる。したがって、第９発明の携帯型情報端末（１，２）は、ユーザの作業（機能設定ジョブの設定）の省力化ができると共に、機種依存性を無くすことができる。
【００５５】
（第１０発明）
前記技術的課題を解決するために第１０発明の画像形成装置（Ｕａ〜Ｕｃ）は、画像形成装置（Ｕａ〜Ｕｃ）が画像形成動作であるジョブを実行する時に実行可能な実行可能機能が設定され且つユーザが指定した実行対象ジョブの情報を送信する携帯型情報端末（１，２）との間で、無線により情報の送受信が可能な画像形成装置（Ｕａ〜Ｕｃ）において、下記の構成要件（Ａ02ａ），（Ａ02ｂ）を備えたことを特徴とする。
（Ａ02ａ）前記携帯型情報端末（１，２）から送信された実行対象ジョブ情報を受信する実行対象ジョブ情報受信手段（Ｃ１１）、
（Ａ02ｂ）実行対象ジョブ情報を受信した場合に、前記実行対象ジョブを実行するジョブ制御手段（Ｃ１）。
【００５６】
（第１０発明の作用）
前記構成要件（Ａ02ａ），（Ａ02ｂ）を備えた第１０発明の画像形成装置（Ｕａ〜Ｕｃ）では、実行対象ジョブ情報受信手段（Ｃ１１）は、前記携帯型情報端末（１，２）から送信された実行対象ジョブ情報を受信する。ジョブ制御手段（Ｃ１）は、実行対象ジョブ情報を受信した場合に、前記実行対象ジョブを実行する。
したがって、第１０発明の画像形成装置（Ｕａ〜Ｕｃ）は、携帯型情報端末（１，２）から送信された実行対象ジョブを実行するので、画像形成装置（Ｕａ〜Ｕｃ）のユーザインタフェースＵＩを操作して、機能設定ジョブを設定（登録）する必要が無くなる。したがって、ユーザの作業（機能設定ジョブの設定）を省力化することができる。
【００５７】
また、携帯型情報端末（１，２）のユーザインタフェース（ＵＩ）への入力操作により設定した機能設定ジョブを実行できるので、画像形成装置（Ｕａ〜Ｕｃ）の機能設定ジョブの設定方法（ＵＩの操作方法）を機種毎に記憶したり、マニュアルを見て確認する必要が無くなる。したがって、第１０発明の画像形成装置（Ｕａ〜Ｕｃ）は、ジョブの設定の省力化ができると共に、ジョブの設定作業の機種依存性を無くすことができる。
【００５８】
（第１１発明）
前記技術的課題を解決するために第１１発明の画像形成装置（Ｕａ〜Ｕｃ）は、携帯型情報端末（１，２）との間で無線により情報の送受信が可能な画像形成装置（Ｕａ〜Ｕｃ）において、下記の構成要件（Ａ03ａ）〜（Ａ03ｅ）を備えたことを特徴とする。
（Ａ03ａ）前記画像形成装置（Ｕａ〜Ｕｃ）において、画像形成動作であるジョブを実行する時に実行可能な機能である実行可能機能の全てを記憶する実行可能機能記憶手段（Ｃ５Ｂ）、
（Ａ03ｂ）ユーザの入力に応じて前記実行可能機能が設定された機能設定ジョブの設定を行う機能設定ジョブ設定手段（Ｃ５）、
（Ａ03ｃ）前記機能設定ジョブ設定手段（Ｃ５）で設定された前記機能設定ジョブを装置設定ジョブとして記憶する装置設定ジョブ記憶手段（Ｃ５Ｃ）、
（Ａ03ｄ）前記装置設定ジョブを実行するジョブ制御手段（Ｃ１）、
（Ａ03ｅ）前記装置設定ジョブが終了した後、前記装置設定ジョブの情報を前記携帯型情報端末（１，２）に送信する装置設定ジョブ情報送信手段（Ｃ１５）。
【００５９】
（第１１発明の作用）
前記構成要件（Ａ03ａ）〜（Ａ03ｅ）を備えた第１１発明の画像形成装置（Ｕａ〜Ｕｃ）では、実行可能機能記憶手段（Ｃ５Ｂ）は、前記画像形成装置（Ｕａ〜Ｕｃ）において、画像形成動作であるジョブを実行する時に実行可能な機能である実行可能機能の全てを記憶する。機能設定ジョブ設定手段（Ｃ５）は、ユーザの入力に応じて前記実行可能機能が設定された機能設定ジョブの設定を行う。装置設定ジョブ記憶手段（Ｃ５Ｃ）は、前記機能設定ジョブ設定手段（Ｃ５）で設定された前記機能設定ジョブを装置設定ジョブとして記憶する。ジョブ制御手段（Ｃ１）は、前記装置設定ジョブを実行する。装置設定ジョブ情報送信手段（Ｃ１５）は、前記装置設定ジョブが終了した後、前記装置設定ジョブの情報を前記携帯型情報端末（１，２）に送信する。
【００６０】
したがって、前記第１１発明の画像形成装置（Ｕａ〜Ｕｃ）では、画像形成装置（Ｕａ〜Ｕｃ）でユーザの入力により設定された装置設定ジョブの終了後、前記装置設定ジョブのデータ（情報）が携帯型情報端末（１，２）に送信される。そして、前記装置設定ジョブ情報を受信した携帯型情報端末（１，２）において、装置設定ジョブを機能設定ジョブとして記憶できる場合には、画像形成装置（Ｕａ〜Ｕｃ）で１度入力して設定した機能設定ジョブ（装置設定ジョブ）を再び実行する際に、記憶した機能設定ジョブを第１１発明の画像形成装置（Ｕａ〜Ｕｃ）が受信して実行することにより、画像形成装置（Ｕａ〜Ｕｃ）のユーザインタフェース（ＵＩ）から入力して設定する必要が無くなる。したがって、ユーザの作業を省力化できる。
【００６１】
また、他の画像形成装置（Ｕａ〜Ｕｃ）で装置設定ジョブを実行する場合に、記憶した機能設定ジョブを送信して、実行させることにより、他の画像形成装置（Ｕａ〜Ｕｃ）のユーザインタフェース（ＵＩ）で入力を行う必要もなくなる。したがって、第１１発明の画像形成装置（Ｕａ〜Ｕｃ）では、装置設定ジョブ情報を送信することによって機能設定ジョブの設定を省力化することができると共に、ＵＩの操作方法が異なる他の画像形成装置（Ｕａ〜Ｕｃ）においてジョブを実行する際の作業を省力化（省略）でき且つ機種依存性を無くすことができる。
【００６２】
（第１２発明）
前記技術的課題を解決するために第１２発明の情報端末は、画像形成装置（Ｕａ〜Ｕｃ）でユーザの入力により設定された装置設定ジョブの情報を送信する前記画像形成装置（Ｕａ〜Ｕｃ）との間で、無線により情報の送受信が可能な携帯型情報端末（１，２）において、下記の構成要件（Ｂ03ａ）〜（Ｂ03ｃ）を備えたことを特徴とする。
（Ｂ03ａ）前記画像形成装置（Ｕａ〜Ｕｃ）から送信された装置設定ジョブ情報を受信する装置設定ジョブ情報受信手段（ＫＣ１）、
（Ｂ03ｂ）前記装置設定ジョブ情報を受信した場合に、前記装置設定ジョブを示す装置設定ジョブ画像（２２）を表示画面（６）に表示する装置設定ジョブ画像表示手段（ＫＣ５Ｃ）、
（Ｂ03ｃ）ユーザの入力に応じて、前記装置設定ジョブを機能設定ジョブとして記憶する機能設定ジョブ記憶手段（ＫＣ５Ｄ）。
【００６３】
（第１２発明の作用）
前記構成要件（Ｂ03ａ）〜（Ｂ03ｃ）を備えた第１２発明の携帯型情報端末（１，２）では、装置設定ジョブ情報受信手段（ＫＣ１）は、前記画像形成装置（Ｕａ〜Ｕｃ）から送信された装置設定ジョブ情報を受信する。装置設定ジョブ画像表示手段（ＫＣ５Ｃ）は、前記装置設定ジョブ情報を受信した場合に、前記装置設定ジョブを示す装置設定ジョブ画像（２２）を表示画面（６）に表示する。機能設定ジョブ記憶手段（ＫＣ５Ｄ）は、ユーザの入力に応じて、前記装置設定ジョブを機能設定ジョブとして記憶する。
【００６４】
したがって、第１２発明の携帯型情報端末（１，２）は、画像形成装置（Ｕａ〜Ｕｃ）でユーザの入力により設定され、実行された装置設定ジョブのデータ（情報）を受信し、機能設定ジョブとして記憶できる。この結果、画像形成装置（Ｕａ〜Ｕｃ）で１度入力して設定した機能設定ジョブ（装置設定ジョブ）を再び実行する際に、機能設定ジョブを無線送信して実行させることにより、画像形成装置（Ｕａ〜Ｕｃ）のユーザインタフェース（ＵＩ）から入力して機能設定ジョブを設定する必要が無くなる。また、他の画像形成装置（Ｕａ〜Ｕｃ）で装置設定ジョブを実行する場合に、記憶した機能設定ジョブを無線送信して実行させることにより、他の画像形成装置（Ｕａ〜Ｕｃ）のＵＩで入力を行う必要もなくなる。即ち、携帯型情報端末（１，２）の入力（操作）のみでジョブを実行できるので、画像形成装置（Ｕａ〜Ｕｃ）のＵＩの入力方法（操作方法）を機種毎に記憶等する必要が無くなる。したがって、第１２発明の携帯型情報端末（１，２）では、機能設定ジョブの設定を省力化することができると共に、ＵＩの操作方法が異なる他の画像形成装置（Ｕａ〜Ｕｃ）において作業を省略でき、機種依存性を無くすことができる。
【００６５】
（第１３発明）
前記技術的課題を解決するために第１３発明の携帯型情報端末（１，２）は、ネットワーク接続画像形成装置（Ｕａ〜Ｕｃ）と情報送受信回線でネットワーク接続された前記端末送受信画像形成装置（Ｕａ〜Ｕｃ）との間で無線により情報の送受信が可能な携帯型情報端末（１，２）において、下記の構成要件（Ｂ04ａ），（Ｂ04ｂ）を備えたことを特徴とする。
（Ｂ04ａ）前記携帯型情報端末（１，２）が前記端末送受信画像形成装置（Ｕａ〜Ｕｃ）及びネットワーク接続画像形成装置（Ｕａ〜Ｕｃ）の少なくともいずれか一方の画像形成装置（Ｕａ〜Ｕｃ）に実行させるジョブであって、前記画像形成装置（Ｕａ〜Ｕｃ）において画像形成動作であるジョブを実行する際に実行可能な機能である実行可能機能が設定された機能設定ジョブを記憶する機能設定ジョブ記憶手段（ＫＣ５Ｄ）、
（Ｂ04ｂ）前記機能設定ジョブを実行可能な画像形成装置（Ｕａ〜Ｕｃ）を検索する入力がされた場合に、検索対象の前記機能設定ジョブを実行可能な前記画像形成装置（Ｕａ〜Ｕｃ）を検索することを要求する検索要求情報と、検索対象の機能設定ジョブのデータとしての検索対象ジョブ情報とを前記端末送受信画像形成装置（Ｕａ〜Ｕｃ）に送信する検索要求情報送信手段（ＫＣ１１）。
【００６６】
（第１３発明の作用）
前記構成要件（Ｂ04ａ），（Ｂ04ｂ）を備えた第１３発明の携帯型情報端末（１，２）では、機能設定ジョブ記憶手段（ＫＣ５Ｄ）は、前記携帯型情報端末（１，２）が前記画像形成装置（Ｕａ〜Ｕｃ）に実行させるジョブであって、前記端末送受信画像形成装置（Ｕａ〜Ｕｃ）及びネットワーク接続画像形成装置（Ｕａ〜Ｕｃ）の少なくともいずれか一方の画像形成装置（Ｕａ〜Ｕｃ）において画像形成動作であるジョブを実行する際に実行可能な機能である実行可能機能が設定された機能設定ジョブを記憶する。検索要求情報送信手段（ＫＣ１１）は、前記機能設定ジョブを実行可能な画像形成装置（Ｕａ〜Ｕｃ）を検索する入力がされた場合に、検索対象の前記機能設定ジョブを実行可能な前記画像形成装置（Ｕａ〜Ｕｃ）を検索することを要求する検索要求情報と、検索対象の機能設定ジョブのデータとしての検索対象ジョブ情報とを前記端末送受信画像形成装置（Ｕａ〜Ｕｃ）に送信する。
【００６７】
したがって、第１３発明の携帯型情報端末（１，２）は、端末送受信画像形成装置（Ｕａ〜Ｕｃ）に対して検索対象ジョブの情報（データ）を送信する。前記端末送受信画像形成装置（Ｕａ〜Ｕｃ）において、検索対象ジョブを実行可能な画像形成装置（Ｕａ〜Ｕｃ）（ネットワーク接続画像形成装置（Ｕａ〜Ｕｃ）及び端末送受信画像形成装置（Ｕａ〜Ｕｃ）を含む画像形成装置（Ｕａ〜Ｕｃ））を検索することができる場合、受信した検索要求情報と検索対象ジョブの情報とに基づいて検索対象ジョブが実行可能な画像形成装置（Ｕａ〜Ｕｃ）の検索を行うことができる。この結果、端末送受信画像形成装置（Ｕａ〜Ｕｃ）のユーザインタフェース（ＵＩ）を操作せず、携帯型情報端末（１，２）から検索対象ジョブのデータを無線送信することにより検索を実行することができる。即ち、検索対象ジョブが実行可能な画像形成装置（Ｕａ〜Ｕｃ）を検索するための入力作業を省力化できる。
【００６８】
また、検索を行う際の入力作業を画像形成装置（Ｕａ〜Ｕｃ）のＵＩで行う必要がないので、画像形成装置（Ｕａ〜Ｕｃ）の機種毎にＵＩの操作方法を記憶する必要が無くなり、検索作業の機種依存性を無くすことができる。
また、機能設定ジョブを実行可能な画像形成装置（Ｕａ〜Ｕｃ）を検索できるので、ユーザが各画像形成装置（Ｕａ〜Ｕｃ）（端末送受信画像形成装置（Ｕａ〜Ｕｃ）及びネットワーク接続画像形成装置（Ｕａ〜Ｕｃ））が有している実行可能機能を記憶する必要が無くなる。この結果、ユーザが実行したい機能設定ジョブの実行可能機能を有する画像形成装置（Ｕａ〜Ｕｃ）を速やかに確認でき、実行可能な画像形成装置（Ｕａ〜Ｕｃ）で速やかにジョブを実行できる。
【００６９】
（第１４発明）
前記技術的課題を解決するために第１４発明の画像形成装置（Ｕａ〜Ｕｃ）は、画像形成動作であるジョブを実行する時に実行可能な実行可能機能が設定された検索対象ジョブであって、ユーザが検索対象に指定した前記検索対象ジョブを実行可能な画像形成装置（Ｕａ〜Ｕｃ）の検索を要求する検索要求情報と、検索対象ジョブのデータである検索対象ジョブ情報とを送信する携帯型情報端末（１，２）との間で、無線により情報の送受信が可能な端末送受信画像形成装置（Ｕａ〜Ｕｃ）であって、ネットワーク接続画像形成装置（Ｕａ〜Ｕｃ）と情報送受信回線でネットワーク接続された前記端末送受信画像形成装置（Ｕａ〜Ｕｃ）において、下記の構成要件（Ａ04ａ）〜（Ａ04ｅ）を備えたことを特徴とする。
（Ａ04ａ）前記携帯型情報端末（１，２）が送信する検索要求情報と、前記検索対象ジョブ情報とを受信する検索要求情報受信手段（Ｃ１１）、
（Ａ04ｂ）前記検索要求情報と、前記検索対象ジョブ情報とを受信した場合に、前記ネットワーク接続画像形成装置（Ｕａ〜Ｕｃ）が前記検索対象ジョブを実行可能であるか否かを判別するための判別情報の送信を要求する判別要求情報を、前記ネットワーク接続画像形成装置（Ｕａ〜Ｕｃ）に送信する判別要求情報送信手段（Ｃ２８）、
（Ａ04ｃ）前記ネットワーク接続画像形成装置（Ｕａ〜Ｕｃ）から送信される前記判別要求情報に対する応答である判別情報を受信する判別情報受信手段（Ｃ２１）、
（Ａ04ｄ）前記判別情報を受信した場合に、前記判別情報に基づいて前記検索対象ジョブを実行可能なネットワーク接続画像形成装置（Ｕａ〜Ｕｃ）を判別する検索対象ジョブ実行可能装置判別手段（Ｃ２６）、
（Ａ04ｅ）前記検索対象ジョブ実行可能装置判別手段（Ｃ２６）による判別結果である検索結果のデータを前記携帯型情報端末（１，２）に送信する検索結果情報送信手段（Ｃ１５）。
【００７０】
（第１４発明の作用）
前記構成要件（Ａ04ａ）〜（Ａ04ｅ）を備えた第１４発明の画像形成装置（Ｕａ〜Ｕｃ）では、検索要求情報受信手段（Ｃ１１）は、前記携帯型情報端末（１，２）が送信する検索要求情報と、前記検索対象ジョブ情報とを受信する。判別要求情報送信手段（Ｃ２８）は、前記検索要求情報と、前記検索対象ジョブ情報とを受信した場合に、前記ネットワーク接続画像形成装置（Ｕａ〜Ｕｃ）が前記検索対象ジョブを実行可能であるか否かを判別するための判別情報の送信を要求する判別要求情報を、前記ネットワーク接続画像形成装置（Ｕａ〜Ｕｃ）に送信する。判別情報受信手段（Ｃ２１）は、前記ネットワーク接続画像形成装置（Ｕａ〜Ｕｃ）から送信される前記判別要求情報に対する応答である判別情報を受信する。検索対象ジョブ実行可能装置判別手段（Ｃ２６）は、前記判別情報を受信した場合に、前記判別情報に基づいて前記検索対象ジョブを実行可能なネットワーク接続画像形成装置（Ｕａ〜Ｕｃ）を判別する。検索結果情報送信手段（Ｃ１５）は、前記検索対象ジョブ実行可能装置判別手段（Ｃ２６）による判別結果である検索結果のデータを前記携帯型情報端末（１，２）に送信する。
【００７１】
したがって、第１４発明の画像形成装置（Ｕａ〜Ｕｃ）は、携帯型情報端末（１，２）から送信された検索対象ジョブが実行可能であるか否かを判別するための判別情報がネットワーク接続画像形成装置（Ｕａ〜Ｕｃ）から送信される。そして、前記判別情報に基づいて、実行可能な画像形成装置（Ｕａ〜Ｕｃ）が判別し、その判別結果（検索結果）を携帯型情報端末（１，２）に送信する。この結果、携帯型情報端末（１，２）に記憶された機能設定ジョブが実行可能な画像形成装置（Ｕａ〜Ｕｃ）を、画像形成装置（Ｕａ〜Ｕｃ）のユーザインタフェースに入力すること無く、検索することが可能となる。即ち、機能設定ジョブが実行可能な画像形成装置（Ｕａ〜Ｕｃ）を検出するための入力作業を省力化できると共に、携帯型情報端末（１，２）の操作により検索作業が実行できるので、画像形成装置（Ｕａ〜Ｕｃ）の機種毎にＵＩの操作方法を記憶したり、マニュアル等を参照して確認する必要が無くなり、機種依存性を無くすことができる。
【００７２】
また、機能設定ジョブを実行可能な画像形成装置（Ｕａ〜Ｕｃ）を検索できるので、ユーザが各画像形成装置（Ｕａ〜Ｕｃ）（端末送受信画像形成装置（Ｕａ〜Ｕｃ）及びネットワーク接続画像形成装置（Ｕａ〜Ｕｃ））が有している実行可能機能を記憶する必要が無くなる。この結果、ユーザが実行したい機能設定ジョブの実行可能機能を有する画像形成装置（Ｕａ〜Ｕｃ）を速やかに確認でき、実行可能な画像形成装置（Ｕａ〜Ｕｃ）で速やかにジョブを実行できる。
【発明の効果】
【００７３】
前述の本発明の画像処理システム、画像形成方法、携帯型情報端末及び画像形成装置は、下記の効果（Ｅ01）〜（Ｅ04）を奏する。
（Ｅ01）画像形成装置を使用する際のユーザの作業を省力化することができる。
（Ｅ02）画像形成装置で実行するジョブの設定作業や検索作業の機種依存性をなくすことができる。
（Ｅ03）携帯型情報端末に記憶された機能設定ジョブを送信することによって、別々の画像形成装置で携帯型情報端末に記憶された機能設定ジョブを実行させることができる。
（Ｅ04）ジョブを実行可能な画像形成装置を検索するための入力を省力化できる。
【発明を実施するための最良の形態】
【００７４】
次に図面を参照しながら、本発明の画像処理システム、画像形成方法、携帯型情報端末及び画像形成装置の実施の形態の具体例（実施例）を説明するが、本発明は以下の実施例に限定されるものではない。
【実施例１】
【００７５】
図１は本発明の画像処理システムの実施例１の説明図である。
図１において、画像処理システムＳの画像形成装置（無線端末送受信画像形成装置、ネットワーク接続画像形成装置）としてのデジタル複合機Ｕａは、ローカルネットワーク（情報送受信回線）ＬＮに接続されており、前記ローカルネットワークＬＮには複数のクライアントパソコンＰＣや、ワークステーションＷＳ等や、複数の画像形成装置（無線端末送受信画像形成装置、ネットワーク接続画像形成装置）Ｕｂ、Ｕｃが接続されている。なお、前記ローカルネットワークＬＮの接続形態は、有線または無線あるいは有線と無線とが組み合わされた接続形態を採用可能である。また、実施例１ではローカルネットワークを採用したが、これに限定されず、公衆情報通信回線によって接続画像形成装置Ｕａ〜Ｕｃをネットワーク接続する接続形態を採用することも可能である。
【００７６】
前記各画像形成装置Ｕａ〜Ｕｃは、無線送受信用アンテナＡｎを有しており、無線送受信用アンテナＡｎ′を有する携帯電話１やＰＤＡ（personal digital assistance）２等の携帯型情報端末１，２との間で無線によりデータの送受信が可能に構成されている。前記無線によるデータの送受信方式としては、ＢｌｕｅｔｏｏｔｈやＩｒＤＡ（Infrared Data Association）、無線ＬＡＮ等の任意の送受信方式を使用可能である。
また、前記画像形成装置Ｕａ〜Ｕｃは、プリンタＵ１、イメージスキャナＵ２および自動原稿搬送装置Ｕ３を有している。前記自動原稿搬送装置Ｕ３は、イメージスキャナＵ２上面のプラテンガラス（図示せず）上に支持されている。
【００７７】
前記プリンタＵ１は給紙トレイＴＲ１〜ＴＲ４を備えており、プリンタＵ１の上面には上方のイメージスキャナＵ２との間に用紙排出トレイＴＲｈが設けられている。そして、前記画像形成装置Ｕは、クライアントパソコンＰＣ等からローカルネットワークＬＮを介して送信された画像データを印刷可能且つ、自動原稿搬送装置Ｕ３やプラテンガラス（図示せず）に載置された（セットされた）原稿等を読取り・複写可能に構成されている。
【００７８】
前記携帯型情報端末としての携帯電話１は、所定の画像を表示する表示画面（情報表示画面）６と、テンキー７、表示項目選択キー８等を有する。
また、前記携帯型情報端末としてのＰＤＡ２は、表示項目選択キー８′と、所定の画像を表示すると共にスタイラスペン９の先端等を接触させることにより入力を行う表示画面（情報表示画面）１０等を有する。
【００７９】
（実施例１の制御部の説明）
（画像形成装置Ｕの機能）
図２は前記図１に示す印刷処理システムの画像形成装置の機能をブロック図（機能ブロック図）で示した図である。
図３は実施例１の画像処理システムの画像形成装置の機能をブロック図で示した図であり、前記図２の続きのブロック図である。
次に、実施例１の画像形成装置Ｕａの機能を説明するが、画像形成装置ＵａにローカルネットワークＬＮを介して接続されたネットワーク接続画像形成装置Ｕｂ，Ｕｃも前記画像形成装置Ｕａと同様に構成されているので、画像形成装置Ｕａについて詳細な説明を行い、その他の画像形成装置Ｕｂ，Ｕｃについての詳細な説明は省略する。
【００８０】
図２、図３において、画像形成装置Ｕａは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ハードディスクやＲＯＭ等に記憶されたプログラムに応じた処理を行うＣＰＵ（中央演算処理装置）、ならびにクロック発振器等を有するマイクロコンピュータにより構成されている。
前記構成の画像形成装置Ｕａは、前記ハードディスクやＲＯＭ等に記憶されたプログラムを実行することにより種々の機能を実現することができる。
【００８１】
（コントローラＣに接続された信号入力要素）
図２において、画像形成装置ＵａのコントローラＣには、ＵＩ（ユーザインタフェース、即ち、入力装置）等の信号入力要素からの信号が入力されている。
前記ＵＩは、コピースタートキーＵＩ1、テンキーＵＩ２、コピー枚数入力キーＵＩ３、表示部ＵＩ４、ジョブメモリ設定キー（機能設定ジョブ設定装置）ＵＩ５等を有しており、それらが入力されたことを検出して、その検出信号をコントローラＣに入力する。
【００８２】
（コントローラＣに接続された制御要素）
また、コントローラＣは、メインモータ駆動回路Ｄ１や電源回路Ｅ、その他の制御要素に接続されており、それらの作動制御信号を出力している。
前記メインモータ駆動回路Ｄ１はメインモータＭ１を介して像担持体ＰＲ、現像器Ｇの現像ロールＧａ、定着部材Ｆ等を回転駆動する。
前記電源回路Ｅは現像ロール用電源回路Ｅ１、帯電ロール用電源回路Ｅ２、転写ロール用電源回路Ｅ３、加熱ロール用電源回路Ｅ４等を有している。
【００８３】
前記現像ロール用電源回路Ｅ１は現像装置Ｇの現像ロールＧａに現像バイアスを印加する。
前記帯電ロール用電源回路Ｅ２は、帯電ロールＣＲに帯電バイアスを印加する。
前記転写ロール用電源回路Ｅ３は、転写ロールＲｔに転写バイアスを印加する。
前記加熱ロール用電源回路Ｅ４は、定着装置Ｆの加熱ロールＦｈのヒータに電流を供給する。
【００８４】
（前記コントローラＣの機能）
前記コントローラＣは、前記各信号出力要素からの出力信号に応じた処理を実行して、前記各制御要素に制御信号を出力する制御プログラム（制御手段）を有している。前記コントローラＣの制御手段を次に説明する。
前記コントローラＣは、画像形成処理やユーザインタフェースＵＩからの入力の処理を行う装置内処理プログラムＰ１と、前記携帯型情報端末１，２と無線によりデータ（情報）の送受信を行うための画像形成装置側無線情報送受信プログラムＰ２と、ローカルネットワークＬＮを介して前記クライアントパソコンＰＣ等や他の画像形成装置Ｕｂ、Ｕｃとデータの送受信を行うためのネットワーク端末情報送受信プログラムＰ３等を有している。
そして、装置内処理プログラムＰ１、画像形成装置側無線情報送受信プログラムＰ２及びネットワーク端末情報送受信プログラムＰ３は、次の各機能実現手段（プログラムモジュール）を有している。
【００８５】
（装置内処理プログラムＰ１の機能の説明）
Ｃ１：ジョブ制御手段
ジョブ制御手段Ｃ１は、ジョブ終了判別信号出力手段Ｃ１Ａを有し、コピースタートキーＵＩ１の入力やクライアントパソコンＰＣから送信された画像データと、画像の拡大・縮小等のユーザの設定した実行可能機能に応じて、潜像形成装置（ＲＯＳ）、像担持体ＰＲ、現像ロールＧａ、定着装置Ｆおよびシート搬送装置（図示せず）等の動作を制御して、画像記録動作であるジョブ（機能設定ジョブ）を実行する。
Ｃ１Ａ：ジョブ終了判別信号出力手段
ジョブ終了判別信号出力手段Ｃ１Ａは、ジョブ終了時にジョブが終了したことを示すジョブ終了判別信号を出力する。
【００８６】
Ｃ２：メインモータ回転制御手段
メインモータ回転制御手段Ｃ２は、前記メインモータ駆動回路Ｄ１を制御して、像担持体ＰＲや現像ロールＧａ、定着装置Ｆ等の回転駆動を制御する。
Ｃ３：電源回路制御手段
電源回路制御手段Ｃ３は、電源回路Ｅを制御して、帯電ロールＣＲや転写ロールＲｔ、定着装置Ｆ等への電圧、電流の供給を制御する。
Ｃ４：画像データ記憶手段
画像データ記憶手段Ｃ４は、画像形成装置ＵａのイメージスキャナＵ２で読み取った画像データまたはクライアントパソコンＰＣ等から送信された画像データを記憶する。
【００８７】
Ｃ５：機能設定ジョブ設定手段
機能設定ジョブ設定手段Ｃ５は、設定画像表示手段Ｃ５Ａ、実行可能機能記憶手段Ｃ５Ｂと、装置設定ジョブ記憶手段Ｃ５Ｃとを有する。そして、ユーザインタフェースＵＩのジョブメモリ設定キーＵＩ５が入力された時に表示されるジョブメモリ設定画像（図示せず）へのユーザの入力に応じて、拡大・縮小、回転等の実行可能機能の単独または実行可能機能の組み合わせである機能設定ジョブの設定を行う。
Ｃ５Ａ：設定画像表示手段
設定画像表示手段Ｃ５Ａは、ユーザインタフェースＵＩのジョブメモリ設定キーＵＩ５が入力された時に、前記ユーザインタフェースＵＩの表示部（表示画面）ＵＩ４へジョブメモリ設定画像（図示せず）を表示する。
【００８８】
Ｃ５Ｂ：実行可能機能記憶手段
実行可能機能記憶手段Ｃ５Ｂは、画像形成装置Ｕａがジョブ（画像形成動作）を実行する時に実行可能な全ての実行可能機能（拡大・縮小や後処理、給紙トレイの選択、印刷枚数等）を記憶する。
Ｃ５Ｃ：装置設定ジョブ記憶手段
装置設定ジョブ記憶手段Ｃ５Ｃは、前記ジョブメモリ設定画像へのユーザの入力によって設定された前記実行可能機能の組み合わせ等である機能設定ジョブを装置設定ジョブとして記憶する。
【００８９】
（画像形成装置側無線情報送受信プログラムＰ２の説明）
Ｃ１１：端末送信情報受信手段（実行対象ジョブ情報受信手段、検索要求情報受信手段、携帯端末検出応答情報受信手段、機能要求情報受信手段）
図３において、端末送信情報受信手段Ｃ１１は、携帯型情報端末１，２が送信する端末送信情報（後述する実行対象ジョブ情報や検索要求情報、携帯端末検出応答情報、機能要求情報等）を受信する。
Ｃ１２：受信情報判別手段
受信情報判別手段Ｃ１２は、前記端末送信情報受信手段Ｃ１１が受信した端末送信情報を判別する。実施例１の受信情報判別手段Ｃ１２は、前記端末送信情報に、後述する携帯端末検出応答情報、機能要求情報、実行対象ジョブ情報及び検索要求情報等が含まれているか否かを判別する。
【００９０】
Ｃ１３：受信情報記憶手段
受信情報記憶手段Ｃ１３は、携帯端末検出応答情報記憶手段Ｃ１３Ａ、機能要求情報記憶手段Ｃ１３Ｂ、実行対象ジョブ情報記憶手段Ｃ１３Ｃ、検索要求情報記憶手段Ｃ１３Ｄを有している。そして、前記受信情報記憶手段Ｃ１３は、前記端末送信情報受信手段Ｃ１１が受信した端末送信情報を記憶する。
Ｃ１３Ａ：携帯端末検出応答情報記憶手段
携帯端末検出情報記憶手段Ｃ１３Ａは、携帯型情報端末１，２を検出するために定期的に送信する携帯端末検出情報に対する応答である携帯端末検出応答情報を受信した場合に、前記携帯端末検出応答情報を送信した携帯型情報端末１，２の識別情報を記憶する。即ち、携帯型情報端末１，２が画像形成装置Ｕａに接近したことを記憶する。なお、携帯端末検出情報を送信後、所定時間内に携帯端末検出応答情報を受信しない場合には、前記識別情報は削除される。即ち、携帯型情報端末１，２が画像形成装置Ｕａから離れたことを記憶する。
【００９１】
Ｃ１３Ｂ：機能要求情報記憶手段
機能要求情報記憶手段Ｃ１３Ｂは、画像形成装置Ｕａがジョブ実行時に実行可能な全ての実行可能機能の送信を要求する機能要求情報を受信した場合に、前記機能要求情報を記憶する。実施例１の機能要求情報記憶手段Ｃ１３Ｂは、前記機能要求情報に加え、前記機能要求情報を送信した携帯型情報端末１，２の識別情報とを記憶する。
Ｃ１３Ｃ：実行対象ジョブ情報記憶手段
実行対象ジョブ情報記憶手段Ｃ１３Ｃは、ユーザが実行するように指定した前記機能設定ジョブである実行対象ジョブのデータ（実行対象ジョブ情報）を受信した場合に、実行対象ジョブ情報を記憶する。
【００９２】
Ｃ１３Ｄ：検索要求情報記憶手段
検索要求情報記憶手段Ｃ１３Ｄは、前記検索対象ジョブを実行可能な画像形成装置の検索を実行することを要求する検索要求情報を受信した場合に、前記検索要求情報と、検索対象の機能設定ジョブの情報である検索対象ジョブ情報とを記憶する。なお、実施例１の検索要求情報記憶手段Ｃ１３Ｄは、前記検索要求情報及び検索対象ジョブ情報に加え、前記検索要求情報を送信した携帯型情報端末１，２の識別情報を記憶する。
Ｃ１４：装置送信情報作成手段
装置送信情報作成手段Ｃ１４は、携帯端末検出情報作成手段Ｃ１４Ａと、全実行可能機能情報作成手段Ｃ１４Ｂと、装置設定ジョブ情報作成手段Ｃ１４Ｃと、検索結果情報作成手段Ｃ１４Ｄとを有し、画像形成装置Ｕａから携帯型情報端末１，２へ送信する装置送信情報（後述する携帯端末検出情報や全実行可能機能情報、装置設定ジョブ情報、検索結果情報等）を作成する。
【００９３】
Ｃ１４Ａ：携帯端末検出情報作成手段
携帯端末検出情報作成手段Ｃ１４Ａは、携帯型情報端末１，２が画像形成装置Ｕａ近傍にあることを検出するために、携帯型情報端末１，２から所定の応答情報の送信を要求する携帯端末検出情報を作成する。実施例１の携帯端末検出情報作成手段Ｃ１４Ａは、前記携帯端末検出情報を所定の時間間隔で定期的に作成して、画像形成装置Ｕａ近傍に無線により情報の送受信が可能な携帯型情報端末１，２が存在しているか否か、即ち、携帯型情報端末１，２を所持したユーザが画像形成装置Ｕａに接近したか否かの検出を定期的に行う。
【００９４】
Ｃ１４Ｂ：全実行可能機能情報作成手段
全実行可能機能情報作成手段Ｃ１４Ｂは、前記携帯端末検出応答情報または機能要求情報を受信した場合に、前記実行可能機能記憶手段Ｃ５Ｂが記憶する画像形成装置Ｕａの全ての実行可能機能（全実行可能機能）のデータに基づいて、画像形成装置Ｕａが送信する装置送信情報としての全実行可能機能情報を作成する。実施例１の全実行可能機能情報作成手段Ｃ１４Ｂは、携帯端末検出応答情報を初めて受信した場合または機能要求情報を受信した場合に、前記携帯端末検出応答情報または機能要求情報を送信した携帯型情報端末１，２に対して送信する前記全実行可能機能情報を作成する。即ち、前記全実行可能機能情報に、前記全実行可能機能情報を携帯端末検出応答情報または機能要求情報を送信した携帯型情報端末１，２の識別情報を付加した装置送信情報が作成される。
【００９５】
Ｃ１４Ｃ：装置設定ジョブ情報作成手段
装置設定ジョブ情報作成手段Ｃ１４Ｃは、装置設定ジョブ記憶手段Ｃ５Ｃが記憶する装置設定ジョブが実行され、前記装置設定ジョブが終了したことを示すジョブ終了判別信号が出力された場合に、前記装置設定ジョブのデータ（情報）に基づいて、画像形成装置Ｕａが送信する装置送信情報としての装置設定ジョブ情報を作成する。実施例１の装置設定ジョブ情報作成手段Ｃ１４Ｃは、前記装置設定ジョブ情報は、検出中の携帯型情報端末１，２、即ち、携帯端末検出情報記憶手段Ｃ１３Ａに識別情報が記憶されている携帯型情報端末１，２に対して送信される。したがって、実施例１の装置設定ジョブ情報作成手段Ｃ１４Ｃは、前記装置設定ジョブ情報に、携帯端末検出情報記憶手段Ｃ１３Ａに記憶されている識別情報を付加した装置送信情報を作成する。
【００９６】
Ｃ１４Ｄ：検索結果情報作成手段
検索結果情報作成手段Ｃ１４Ｄは、受信した前記検索要求情報に応じて前記検索対象ジョブが実行可能な画像形成装置Ｕｂ，Ｕｃの判別結果が作成された場合に、前記判別結果（検索結果）に基づいて、画像形成装置Ｕａが送信する装置送信情報としての検索結果情報を作成する。実施例１の検索結果情報作成手段Ｃ１４Ｄは、前記検索要求情報を送信した携帯型情報端末１，２に前記検索結果情報を送信する。即ち、実施例１の検索結果情報作成手段Ｃ１４Ｄは、前記検索結果情報に、前記検索要求情報を送信した携帯型情報端末１，２の識別情報を付加した装置送信情報を作成する。
Ｃ１５：装置送信情報送信手段（全実行可能機能情報送信手段、装置設定ジョブ情報送信手段、検索結果情報送信手段、携帯端末検出情報作成手段）
装置送信情報送信手段Ｃ１５は、前記装置送信情報作成手段Ｃ１４で作成された装置送信情報（全実行可能機能情報や装置設定ジョブ情報、検索結果情報、携帯端末検出情報等）を、無線により送信する。
【００９７】
ＴＭ１：検出応答時間計時タイマ
検出応答時間計時タイマＴＭ１は、検出応答時間ｔ１を記憶する検出応答時間記憶手段Ｔ１ａを有し、画像形成装置Ｕａが携帯端末検出情報を送信してから、携帯型情報端末１，２から送信される携帯端末検出応答情報を受信する所定の時間である検出応答時間ｔ１を計時する。即ち、前記検出応答時間ｔ１が経過しても携帯端末検出応答情報を受信しない場合は、画像形成装置Ｕａ近傍に携帯型情報端末１，２が存在しないと判断できる。
【００９８】
（ネットワーク端末情報送受信プログラムＰ３）
Ｃ２１：ネットワーク送信情報受信手段（判別情報受信手段、判別要求情報受信手段）
ネットワーク送信情報受信手段Ｃ２１は、クライアントパソコンＰＣ等や、他の画像形成装置（ネットワーク接続画像形成装置）Ｕｂ、ＵｃからローカルネットワークＬＮを介して送信されたネットワーク送信情報（画像データや後述の判別情報、判別要求情報等）を受信する。
【００９９】
Ｃ２２：ネットワーク送信情報判別手段
ネットワーク送信情報判別手段Ｃ２２は、前記ネットワーク送信情報受信手段Ｃ２１が受信した前記ネットワーク送信情報に含まれている情報を判別する。実施例１のネットワーク送信情報判別手段Ｃ２２は、前記ネットワーク送信情報に、前記クライアントパソコンＰＣから送信された画像データや、ネットワーク接続画像形成装置Ｕｂ，Ｕｃから送信された判別要求情報（後述）、画像形成装置Ｕａから送信した判別要求情報に対する応答である判別情報等が含まれているか否かを判別する。
【０１００】
Ｃ２３：ネットワーク送信情報記憶手段
ネットワーク送信情報記憶手段Ｃ２３は、判別要求情報記憶手段Ｃ２３Ａと、判別情報記憶手段Ｃ２３Ｂとを有し、画像データを除く受信したネットワーク送信情報を記憶する。
Ｃ２３Ａ：判別要求情報記憶手段
判別要求情報記憶手段Ｃ２３Ａは、受信したネットワーク送信情報に判別要求情報が含まれていた場合、前記判別要求情報を記憶する。実施例１の判別要求情報記憶手段Ｃ２３Ａは、他の画像形成装置Ｕｂ，Ｕｃから送信され、画像形成装置Ｕａが受信した前記判別要求情報に加えて、前記判別要求情報を送信した画像形成装置Ｕｂ，Ｕｃの識別情報を記憶する。
【０１０１】
Ｃ２３Ｂ：判別情報記憶手段
判別情報記憶手段Ｃ２３Ｂは、受信したネットワーク送信情報に判別情報が含まれていた場合、前記判別情報を記憶する。実施例１の判別情報記憶手段Ｃ２３Ｂは、画像形成装置Ｕａが送信した判別要求情報に対する応答として他の画像形成装置Ｕｂ，Ｕｃから送信され、画像形成装置Ｕａが受信した前記判別情報に加えて、判別情報を送信した画像形成装置Ｕｂ，Ｕｃの識別情報を記憶する。
Ｃ２４：ネットワーク接続画像形成装置記憶手段
ネットワーク接続画像形成装置記憶手段Ｃ２４は、ローカルネットワークＬＮを介して現在接続されている画像形成装置Ｕｂ，Ｕｃ（ネットワーク接続画像形成装置）の識別情報を記憶する。
【０１０２】
Ｃ２５：判別情報記憶手段
判別情報記憶手段Ｃ２５は、自装置識別情報記憶手段Ｃ２５Ａを有し、判別要求情報を受信した場合に、判別要求情報を送信した画像形成装置Ｕｂ，Ｕｃに対して応答として送信する判別情報を記憶する。実施例１の判別情報記憶手段Ｃ２５は、前記実行可能機能記憶手段Ｃ５Ｂに記憶された実行可能機能の全てのデータである全実行可能機能情報と同一の情報を前記判別情報として記憶している。
Ｃ２５Ａ：自装置識別情報記憶手段
自装置識別情報記憶手段Ｃ２５Ａは、前記判別情報等を送信する場合等に付加されて送信される画像形成装置Ｕａの識別情報（ＩＤデータ、例えば、「４Ｆ  コピー室」等）を記憶している。
【０１０３】
Ｃ２６：検索対象ジョブ実行可能装置判別手段
検索対象ジョブ実行可能装置判別手段Ｃ２６は、検索対象ジョブ実行可能判別フラグＦＬを有し、受信した前記判別情報に基づいて検索要求のあった検索対象ジョブを実行可能なネットワーク接続画像形成装置Ｕｂ，Ｕｃを判別する。実施例１の検索対象ジョブ実行可能装置判別手段Ｃ２６は、前記判別情報としての全実行可能機能に基づいて、ネットワーク接続画像形成装置Ｕｂ，Ｕｃ毎に、検索要求のあった検索対象ジョブが実行可能であるか否かを判別する。即ち、検索対象ジョブに含まれる実行可能機能が、ネットワーク接続画像形成装置Ｕｂ，Ｕｃで実行可能な全実行可能機能に全て含まれているか否かを、ネットワーク接続画像形成装置Ｕｂ，Ｕｃ毎に判別する。そして、実行可能な画像形成装置Ｕｂ，Ｕｃのリストを判別結果（検索結果）として作成する。
【０１０４】
ＦＬ：検索対象ジョブ実行可能フラグ
検索対象ジョブ実行可能判別フラグＦＬは、初期値は「０」であり、前記検索対象ジョブ実行可能装置判別手段Ｃ２６で検索対象ジョブが実行可能であると判別されると「１」となり、実行不可能であると判別されると「０」となる。実施例１では、ネットワーク接続画像形成装置Ｕｂ，Ｕｃが複数ある場合、ネットワーク接続画像形成装置Ｕｂ，Ｕｃ毎に検索対象ジョブ実行可能判別フラグＦＬが設けられている。
Ｃ２７：ネットワーク送信情報作成手段
ネットワーク送信情報作成手段Ｃ２７は、判別要求情報作成手段Ｃ２７Ａと、判別情報作成手段Ｃ２７Ｂとを有し、画像形成装置ＵａからローカルネットワークＬＮを介して接続されたクライアントパソコンＰＣ等や他の画像形成装置Ｕｂ，Ｕｃへ送信するネットワーク送信情報を作成する。
【０１０５】
Ｃ２７Ａ：判別要求情報作成手段
判別要求情報作成手段Ｃ２７Ａは、前記端末送信情報受信手段Ｃ１１が検索要求情報を含む端末送信情報を受信した場合に、前記検索要求情報と共に受信した検索対象ジョブが他の画像形成装置Ｕａ，Ｕｂで実行可能であるか否かを判別するための前記判別情報の送信を要求する判別要求情報を、他の画像形成装置Ｕｂ，Ｕｃに送信するネットワーク送信情報として作成する。実施例１の判別要求情報作成手段Ｃ２７Ａは、前記判別要求情報に、前記ネットワーク接続画像形成装置記憶手段Ｃ２４に記憶されたローカルネットワークＬＮを介して接続された画像形成装置Ｕｂ，Ｕｃの識別情報を付加したネットワーク送信情報を作成する。即ち、前記判別要求情報が、現在接続されている全てのネットワーク接続画像形成装置Ｕｂ，Ｕｃに対して送信される。
【０１０６】
Ｃ２７Ｂ：判別情報作成手段
判別情報作成手段Ｃ２７Ｂは、判別要求情報を受信した場合に、前記判別情報記憶手段Ｃ２５に記憶された判別情報に基づいて、前記判別要求情報に対する応答である判別情報を、判別要求情報を送信した画像形成装置Ｕｂ，Ｕｃに送信するネットワーク送信情報として作成する。実施例１の判別情報作成手段Ｃ２７Ｂは、前記判別情報に、前記判別要求情報を送信した画像形成装置Ｕｂ，Ｕｃの識別情報を付加したネットワーク送信情報を作成する。
Ｃ２８：ネットワーク送信情報送信手段（判別要求情報送信手段、判別情報送信手段）
ネットワーク送信情報送信手段Ｃ２８は、前記ネットワーク送信情報作成手段Ｃ２７で作成されたネットワーク送信情報を送信する。
【０１０７】
（携帯型情報端末１，２の機能）
図４は前記図１に示す印刷処理システムの携帯型情報端末の機能をブロック図（機能ブロック図）で示した図である。
次に、携帯型情報端末１，２の機能の説明をするが、携帯電話１とＰＤＡ２は同様の機能を有しているので、携帯型情報端末１，２としての携帯電話１についてのみ機能を説明し、ＰＤＡ２の詳細な説明は省略する。
図４において、携帯電話１は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）等の不揮発性メモリ、必要なデータを一時的に記憶するためのＲＡＭ（ランダムアクセスメモリ）、ＲＯＭ等に記憶されたプログラムに応じた処理を行うＣＰＵ（中央演算処理装置）、ならびにクロック発振器等を有するマイクロコンピュータにより構成されている。
前記構成の携帯電話１は、前記ＲＯＭ等に記憶されたプログラムを実行することにより種々の機能を実現することができる。
【０１０８】
（携帯端末コントローラＫＣに接続された信号入力要素）
携帯電話１のコントローラ（携帯端末コントローラ）ＫＣには、ＵＩ（ユーザインタフェース、即ち、入力装置）等の信号入力要素からの信号が入力されている。
前記携帯型情報端末としての携帯電話１のＵＩは、前記テンキー７、表示項目選択キー８（機能設定ジョブ設定装置）等を有しており、それらが入力されたことを検出して、その検出信号をコントローラＫＣに入力する。
なお、前記ＰＤＡ２では、ＰＤＡ２のＵＩは、表示項目選択キー（機能設定ジョブ設定装置）８′、スタイラスペン９の先端を接触させることにより入力を行う表示画面（情報表示入力画面、機能設定ジョブ設定装置）１０等を有しており、それらが入力されたことを検出して、その検出信号をコントローラＫＣに入力する。
【０１０９】
（携帯端末コントローラＫＣに接続された制御要素）
また、コントローラＫＣは、表示画面駆動回路ＫＤ１やその他の制御要素に接続されており、それらの作動制御信号を出力している。
前記表示画面駆動回路ＫＤ１は、携帯電話１の表示画面（液晶表示画面）６を作動させて所定の画像を表示する。
【０１１０】
（前記コントローラＫＣの機能）
前記コントローラＫＣは、前記各信号出力要素からの出力信号に応じた処理を実行して、前記各制御要素に制御信号を出力する制御プログラム（制御手段）を有している。前記コントローラＫＣの制御手段を次に説明する。
前記コントローラＫＣは、画像形成装置Ｕａ〜Ｕｃと無線により情報の送受信を行う携帯型情報端末側無線送受信プログラムＫＰ１を有している。なお、以下の説明において、理解の容易のために携帯電話１と画像形成装置Ｕａとが無線により送受受信する場合について説明し、携帯電話１と他の画像形成装置Ｕｂ，Ｕｃとの無線送受信についての説明は省略する。
携帯型情報端末側無線送受信プログラムＫＰ１は、次の各機能実現手段（プログラムモジュール）を有している。
【０１１１】
（携帯型情報端末側無線送受信プログラムＫＰ１の機能の説明）
ＫＣ１：装置送信情報受信手段（全実行可能機能情報受信手段、装置設定ジョブ情報受信手段、検索結果情報受信手段、携帯端末検出情報受信手段）
装置送信情報受信手段ＫＣ１は、前記画像形成装置Ｕａから送信された装置送信情報（全実行可能機能情報、装置設定ジョブ情報、検索結果情報、携帯端末検出情報等）を受信する。
ＫＣ２：装置送信情報判別手段
装置送信情報判別手段ＫＣ２は、受信した装置送信情報に含まれている情報を判別する。実施例１の装置送信情報判別手段ＫＣ２は、前記装置送信情報に含まれている情報が、携帯端末検出情報であるか、全実行可能機能情報であるか、装置設定ジョブ情報であるか、検索結果情報であるかを判別する。
【０１１２】
ＫＣ３：装置送信情報記憶手段
装置送信情報記憶手段ＫＣ３は、携帯端末検出情報記憶手段ＫＣ３Ａと、全実行可能機能情報記憶手段ＫＣ３Ｂと、装置設定ジョブ情報記憶手段ＫＣ３Ｃと、検索結果情報記憶手段ＫＣ３Ｄとを有し、受信した装置送信情報を記憶する。
ＫＣ３Ａ：携帯端末検出情報記憶手段
携帯端末検出情報記憶手段ＫＣ３Ａは、受信した装置送信情報に携帯端末検出情報が含まれている場合、携帯端末検出情報を記憶する。実施例１の携帯端末検出情報記憶手段ＫＣ３Ａは、前記携帯端末検出情報に含まれる前記携帯端末検出情報を送信した画像形成装置Ｕａの識別情報を記憶する。
【０１１３】
ＫＣ３Ｂ：全実行可能機能情報記憶手段
全実行可能機能情報記憶手段ＫＣ３Ｂは、受信した装置送信情報に全実行可能機能情報が含まれている場合、前記全実行可能機能情報を記憶する。実施例１の全実行可能機能情報記憶手段ＫＣ３Ｂは、前記全実行可能機能情報に加え、前記全実行可能機能情報を送信した画像形成装置Ｕａの識別情報を記憶する。
ＫＣ３Ｃ：装置設定ジョブ情報記憶手段
装置設定ジョブ情報記憶手段ＫＣ３Ｃは、受信した装置送信情報に前記装置設定ジョブ情報が含まれている場合、前記装置設定ジョブ情報を記憶する。実施例１の装置設定ジョブ情報記憶手段ＫＣ３Ｃは、前記装置設定ジョブ情報に加え、装置設定ジョブ情報を送信した画像形成装置Ｕａの識別情報を記憶する。
【０１１４】
ＫＣ３Ｄ：検索結果情報記憶手段
検索結果情報記憶手段ＫＣ３Ｄは、受信した装置送信情報に検索結果情報が含まれている場合、前記検索結果情報を記憶する。実施例１の検索結果情報記憶手段ＫＣ３Ｄは、検索結果情報に加え、前記検索結果情報を送信した画像形成装置Ｕａの識別情報を記憶する。
図５は、実施例１の携帯型情報端末の表示画面に表示される機能設定ジョブ用メイン画像の説明図である。
ＫＣ４：機能設定ジョブ用メイン画像表示手段
機能設定ジョブ用メイン画像表示手段ＫＣ４は、ユーザが表示項目選択キー８等の入力により機能設定ジョブに関する操作（機能設定ジョブの設定や、機能設定ジョブの実行・検索等）を行う指定をした場合に、表示画面６に機能設定ジョブ用メイン画像２０（図５参照）を表示する。
【０１１５】
ＫＣ５：端末設定ジョブ設定手段
端末設定ジョブ設定手段ＫＣ５は、端末記憶手段ＫＣ５Ａと、機能設定ジョブ設定画像表示手段ＫＣ５Ｂと、装置設定ジョブ画像表示手段ＫＣ５Ｃと、機能設定ジョブ記憶手段ＫＣ５Ｄとを有し、ユーザが前記テンキー７や表示項目選択キー８を操作して行った入力に応じて、機能設定ジョブの設定（登録）を行う。
ＫＣ５Ａ：端末設定可能機能記憶手段
端末設定可能機能記憶手段ＫＣ５Ａは、携帯電話１においてユーザが設定できる実行可能機能を記憶する。実施例１の端末設定可能機能記憶手段ＫＣ５Ａは、画像形成装置Ｕａ〜Ｕｃの少なくとも１つの画像形成装置で設定可能な（実行可能な）実行可能機能を全て記憶している。
【０１１６】
図６は、実施例１の携帯型情報端末の表示画面に表示される機能設定ジョブ設定画像の説明図である。
ＫＣ５Ｂ：機能設定ジョブ設定画像表示手段
機能設定ジョブ設定画像表示手段ＫＣ５Ｂは、機能設定ジョブの設定を行う入力がされた場合に、表示画面６に機能設定ジョブを設定するための画像である機能設定ジョブ設定画像２１（図６参照）を表示する。実施例１の機能設定ジョブ設定画像表示手段ＫＣ５Ｂは、前記機能設定ジョブ用メイン画像２０の「ジョブメモリ設定」が選択された場合に、前記機能設定ジョブ設定画像２１が表示される。図６において、実施例１の機能設定ジョブ設定画像２１には、前記端末設定可能機能記憶手段ＫＣ５Ａが記憶する設定可能な実行可能機能の一覧が表示される。
【０１１７】
図７は実施例１の携帯型情報端末の表示画面に表示される装置設定ジョブ画像の説明図である。
ＫＣ５Ｃ：装置設定ジョブ画像表示手段
装置設定ジョブ画像表示手段ＫＣ５Ｃは、前記装置設定ジョブ情報を受信した場合に、装置設定ジョブを保存するか否かを表示するための装置設定ジョブ画像２２（図７参照）を表示画面６に表示する。実施例１の装置設定ジョブ画像２２では、装置設定ジョブを保存するか破棄するかの選択と、ユーザが装置設定ジョブを識別するためのジョブの名称を設定することができる。なお、実施例１の画像処理システムＳでは、携帯電話１をユーザが携帯した状態で接近している画像形成装置Ｕａにおいて装置設定ジョブを設定しており、ユーザは装置設定ジョブに設定された実行可能機能の具体的な内容を認識しているため、装置設定ジョブ画像２２には、装置設定ジョブの具体的な内容は表示されない。なお、前記装置設定ジョブ画像２２上に前記装置設定ジョブに含まれる実行可能機能を表示することも可能である。
【０１１８】
ＫＣ５Ｄ：機能設定ジョブ記憶手段（ジョブメモリ）
機能設定ジョブ記憶手段ＫＣ５Ｄは、前記機能設定ジョブ設定画像２１を表示してユーザが入力・設定した端末設定ジョブや、前記装置設定ジョブ画像２２に表示され、ユーザが保存する入力をした装置設定ジョブを、機能設定ジョブとして記憶する（登録する）。なお、実施例１の機能設定ジョブ記憶手段ＫＣ５Ｄは、複数の機能設定ジョブを記憶可能に構成されており、ジョブ番号ＪＢ（１以上の整数）が付されて管理されている。
【０１１９】
ＫＣ６：機能設定ジョブ可否判別手段
機能設定ジョブ可否判別手段ＫＣ６は、機能設定ジョブ可否判別結果記憶手段ＫＣ６Ａと、機能設定ジョブ実行可能判別フラグＫＦＬとを有し、全実行可能機能を受信した場合に、前記機能設定ジョブ記憶手段ＫＣ５Ｄに記憶された機能設定ジョブに設定された全ての実行可能機能が、前記全実行可能機能に含まれているか否かの判別を行う。即ち、前記全実行可能機能を送信した画像形成装置Ｕａで機能設定ジョブが実行可能であるか否かを判別する。なお、前記機能設定ジョブが複数記憶（登録）されている場合、各機能設定ジョブに対して判別を行う。
【０１２０】
ＫＣ６Ａ：機能設定ジョブ可否判別結果記憶手段
機能設定ジョブ可否判別結果記憶手段ＫＣ６Ａは、前記機能設定ジョブ可否判別手段ＫＣ６の判別結果を記憶する。実施例１の機能設定ジョブ可否判別結果記憶手段ＫＣ６Ａは、前記判別結果に加え、前記全実行可能機能を送信した画像形成装置Ｕａの識別情報を記憶する。
ＫＦＬ：機能設定ジョブ実行可能判別フラグ
機能設定ジョブ実行可能判別フラグＫＦＬは、初期値は「０」であり、前記機能設定ジョブ可否判別手段ＫＣ６で実行可能であると判別されると「１」となり、実行不可能であると判別されると「０」となる。なお、前記機能設定ジョブが複数記憶されている場合、機能設定ジョブ毎に機能設定ジョブ実行可能判別フラグＫＦＬが設けられている。
【０１２１】
ＫＣ７：機能設定ジョブ選択手段
機能設定ジョブ選択手段ＫＣ７は、機能設定ジョブ選択画像表示手段（ジョブ実行可能判別結果画像表示手段）ＫＣ７Ａと、機能設定ジョブ実行開始画像表示手段ＫＣ７Ｂと、実行対象ジョブ記憶手段ＫＣ７Ｃと、機能設定ジョブ検索開始画像表示手段ＫＣ７Ｄと、検索対象ジョブ記憶手段ＫＣ７Ｅと、検索結果画像表示手段ＫＣ７Ｆとを有する。そして、機能設定ジョブ選択手段ＫＣ７は、前記機能設定ジョブ用メイン画像２０の「ジョブメモリ選択」を選択する入力がされた場合に、ユーザによる表示項目選択キー８等の入力に応じて、画像の表示及び選択された機能設定ジョブの記憶等を行う。
【０１２２】
図８は実施例１の携帯型情報端末の表示画面に表示される機能設定ジョブ選択画像の説明図である。
ＫＣ７Ａ：機能設定ジョブ選択画像表示手段（ジョブ実行可能判別結果画像表示手段）
機能設定ジョブ選択画像表示手段ＫＣ７Ａは、ユーザの表示項目選択キー８等の操作により機能設定ジョブの選択を行う入力がされた場合に、機能設定ジョブ画像としての機能設定ジョブ選択画像（ジョブ実行可能判別結果画像）２３（図８参照）を前記表示画面６に表示する。図８において、実施例１の機能設定ジョブ選択画像表示手段ＫＣ７Ａは、前記機能設定ジョブ可否判別結果記憶手段ＫＣ６Ａに記憶された判別結果に応じて、全実行可能機能を送信した画像形成装置Ｕａで実行可能な機能設定ジョブと実行不可能な機能設定ジョブの表示を相違させる。
【０１２３】
例えば、図８に示すように、ユーザが設定した名称が「小冊子ＳＰタイプ」、「会議コピー＋ＯＨＰ」、「ポスター４倍サイズ」、「小冊子＋ステイプル」の４つの機能設定ジョブが携帯電話１に登録（記憶）されている場合について説明する。ここで、「小冊子ＳＰタイプ」の機能設定ジョブには、「自動原稿搬送装置を使用」、「原稿の両面読取り」の２つの実行可能機能が設定されているものとし、「会議コピー＋ＯＨＰ」の機能設定ジョブには「１部目は普通紙を使用」、「２部目はＯＨＰシートを使用」の実行可能機能が設定されているものとする。また、「ポスター４倍サイズ」の機能設定ジョブには「原稿画像を４倍に拡大」の実行可能機能が設定されているものとし、「小冊子＋ステイプル」の機能設定ジョブには「自動原稿搬送装置を使用」、「原稿の両面読取り」、「記録用紙をステイプル処理（ホチキス止め）」の３つ実行可能機能が設定されているものとする。
【０１２４】
そして、画像形成装置Ｕａで後処理が実行できない場合、即ち、画像形成装置Ｕａから受信した全実行可能機能に前記各実行可能機能のうち「記録用紙をステイプル処理」だけ含まれていない場合、「小冊子ＳＰタイプ」、「会議コピー＋ＯＨＰ」、「ポスター４倍サイズ」の３つの機能設定ジョブは実行可能であるが、「小冊子＋ステイプル」は実行不可能であると、前記機能設定ジョブ可否判別手段ＫＣ６で判別される。したがって、機能設定ジョブ選択画像表示手段ＫＣ７Ａは、前記判別結果に基づいて、実行可能な３つの機能設定ジョブは、実行可能であることを示す通常の画像（実行可能画像２３ａ）で表示される（図８参照）。一方、実行不可能な機能設定ジョブである「小冊子＋ステイプル」は、実行不可能であることを示すために陰影処理（シェード処理）された実行不可能画像２３ｂで表示される（図８参照）。
なお、実施例１では、ユーザの入力があった場合に機能設定ジョブ選択画像２３が表示されたが、ユーザが携帯電話１を保持した状態で画像形成装置Ｕａに接近し、前記実行可能機能を受信した場合に自動的に機能設定ジョブ選択画像２３を表示するように構成することも可能である。
【０１２５】
図９は実施例１の携帯型情報端末の表示画面に表示される機能設定ジョブ実行開始画像の説明図である。
ＫＣ７Ｂ：機能設定ジョブ実行開始画像表示手段
機能設定ジョブ実行開始画像表示手段ＫＣ７Ｂは、ユーザの入力により、前記機能設定ジョブ選択画像２３に表示された実行可能な機能設定ジョブが指定された場合に、ユーザが指定した機能設定ジョブの確認を促すための機能設定ジョブ実行開始画像２４（図９参照）を表示する。実施例１の機能設定ジョブ実行開始画像表示手段ＫＣ７Ｂは、前記機能設定ジョブ実行開始画像２４において、ユーザにより指定された機能設定ジョブ（図９の機能設定ジョブ実行開始画像２４は前記「小冊子ＳＰタイプ」が指定された場合）を表示すると共に、印刷部数を設定可能に構成されている。そして、機能設定ジョブ実行開始画像２４には、指定された機能設定ジョブの実行開始を指定するための「スタート」画像が表示されている。
【０１２６】
ＫＣ７Ｃ：実行対象ジョブ記憶手段
実行対象ジョブ記憶手段ＫＣ７Ｃは、ユーザが指定した実行可能な機能設定ジョブを実行対象ジョブとして記憶する。実施例１の実行対象ジョブ記憶手段ＫＣ６Ｃは、実行開始の指定がされた機能設定ジョブと、前記機能設定ジョブ実行開始画像２４が表示された時に入力された印刷部数とを、実行対象ジョブとして記憶する。
【０１２７】
図１０は実施例１の携帯型情報端末の表示画面に表示される機能設定ジョブ検索開始画像の説明図である。
ＫＣ７Ｄ：機能設定ジョブ検索開始画像表示手段
機能設定ジョブ検索開始画像表示手段ＫＣ７Ｄは、前記機能設定ジョブ選択画像２３に表示された実行不可能な機能設定ジョブが指定された場合に、ユーザが指定した機能設定ジョブの検索の開始を指定するための機能設定ジョブ検索画像２５（図１０参照）を表示画面６に表示する。
ＫＣ７Ｅ：検索対象ジョブ記憶手段
検索対象ジョブ記憶手段ＫＣ７Ｅは、前記全実行可能機能を送信した画像形成装置Ｕａでは実行不可能であり且つ、検索の実行を指定した機能設定ジョブを検索対象ジョブとして記憶する。
【０１２８】
図１１は実施例１の携帯型情報端末の表示画面に表示される検索結果画像の説明図である。
ＫＣ７Ｆ：検索結果画像表示手段
検索結果画像表示手段ＫＣ７Ｆは、検索対象ジョブが実行可能な画像形成装置の検索結果である前記検索結果情報を受信した場合に、検索結果情報記憶手段ＫＣ３Ｄに記憶された判別結果を検索結果画像２６として表示画面６に表示する。実施例１の検索結果画像２６には、検索要求をした検索対象ジョブと、検索結果のリスト（実行可能な画像形成装置Ｕｂ，Ｕｃの識別情報、「ＤＣＸＸ  １Ｆ  総務」等）が表示されている。
【０１２９】
図１２は実施例１の携帯型情報端末の表示画面に表示される実行可能機能要求画像の説明図である。
ＫＣ８：全実行可能機能要求画像表示手段
全実行可能機能要求画像表示手段ＫＣ８は、ユーザの近傍の画像形成装置Ｕａの全実行可能機能のデータの受信を要求する入力があった場合に、全実行可能機能要求画像２７（図１２参照）を表示画面６に表示する。実施例１では、前記図５に示す機能設定ジョブ用メイン画像２０の「デバイス機能受信」を選択する入力がされた場合に、前記全実行可能機能要求画像２７が表示される。
なお、通常は画像形成装置Ｕａ近傍にユーザが携帯電話１を所持した状態で接近すると、自動的に全実行可能機能情報を受信するが、通信状態やノイズ等により全実行可能機能の受信に失敗した場合に、ユーザが前記全実行可能機能要求画像２７の「ＯＫ」を選択することにより、画像形成装置Ｕａから全実行可能機能情報を受信できる。
【０１３０】
ＫＣ９：携帯端末識別情報記憶手段
携帯端末識別情報記憶手段ＫＣ９は、前記画像形成装置Ｕａと情報（データ）の送受信を行う際の携帯電話１の識別情報（ＩＤデータ）である携帯端末識別情報を記憶する。
ＫＣ１０：端末送信情報作成手段
端末送信情報作成手段ＫＣ１０は、携帯端末検出応答情報作成手段ＫＣ１０Ａと、機能要求情報作成手段ＫＣ１０Ｂと、実行対象ジョブ情報作成手段ＫＣ１０Ｃと、検索要求情報作成手段ＫＣ１０Ｄとを有し、携帯電話１から画像形成装置Ｕａへ送信する端末送信情報（後述する携帯端末検出応答情報や、機能要求情報、実行対象ジョブ情報、検索要求情報等）を作成する。
【０１３１】
ＫＣ１０Ａ：携帯端末検出応答情報作成手段
携帯端末検出応答情報作成手段ＫＣ１０Ａは、受信した携帯端末検出情報に対する応答である携帯端末検出応答情報（端末送信情報）を作成する。実施例１の携帯端末検出応答情報作成手段ＫＣ１０Ａは、前記携帯端末検出応答情報（携帯型情報端末が画像形成装置の近傍に存在することを通知するための情報）に、携帯電話１の識別情報を付加した端末送信情報を作成する。
ＫＣ１０Ｂ：機能要求情報作成手段
機能要求情報作成手段ＫＣ１０Ｂは、前記全実行可能機能要求画像２７（図１２参照）において、ユーザが全実行可能機能の送信を要求する選択をした場合に、全実行可能機能の送信を要求する機能要求情報（端末送信情報）を作成する。実施例１の機能要求情報作成手段ＫＣ１０Ｂは、前記機能要求情報に携帯電話１の識別情報を付加した端末送信情報を作成する。
【０１３２】
ＫＣ１０Ｃ：実行対象ジョブ情報作成手段
実行対象ジョブ情報作成手段ＫＣ１０Ｃは、ユーザが前記機能設定ジョブ実行開始画像２４において指定された機能設定ジョブの実行開始を指定した場合に、実行対象ジョブのデータである実行対象ジョブ情報（端末送信情報）を作成する。実施例１の実行対象ジョブ情報作成手段ＫＣ１０Ｃは、前記実行対象ジョブ情報に、実行対象ジョブの実行命令のデータ（ジョブ実行命令情報）と、携帯電話１の識別情報とを付加した端末送信情報を作成する。
【０１３３】
ＫＣ１０Ｄ：検索要求情報作成手段
検索要求情報作成手段ＫＣ１０Ｄは、前記機能設定ジョブ検索画像２５において機能設定ジョブの検索の開始を指定する入力があった場合に、検索対象の検索対象ジョブを実行可能な画像形成装置を検索することを要求する検索要求情報と、前記検索対象ジョブのデータである検索対象ジョブ情報を、端末送信情報として作成する。実施例１の検索要求情報作成手段ＫＣ１０Ｄは、前記検索要求情報及び検索対象ジョブ情報に、携帯電話１の識別情報を付加した端末送信情報を作成する。
【０１３４】
ＫＣ１１：端末送信情報送信手段（実行対象ジョブ情報送信手段、検索要求情報送信手段、携帯端末検出応答情報送信手段、機能要求情報送信手段）
端末送信情報送信手段ＫＣ１１は、前記端末送信情報作成手段ＫＣ１０で作成された端末送信情報を画像形成装置Ｕａに送信する。
【０１３５】
（フローチャートの説明）
次に、実施例１の画像処理システムのフローチャートの説明を行うが、実施例１の画像処理システムＳでは、全実行可能機能送受信処理と、機能設定ジョブ実行・検索処理と、その他の各種処理は並行して実行される。なお、ユーザが前記機能設定ジョブ用メイン画像２０（図５参照）の「ジョブメモリ設定」を選択した場合に前記機能設定ジョブ設定画像２１を表示し、ユーザの各種入力に応じて機能設定ジョブ設定画像２１の表示を更新し、「終了」の入力がされた場合に入力された結果を機能設定ジョブとして記憶（登録）する機能設定ジョブ登録処理のフローチャートは省略する。また、ユーザの入力に応じて、全実行可能機能要求画像２７（図１２参照）を表示して、「ＯＫ」の入力があった場合に機能要求情報を作成して送信する機能要求情報送信処理のフローチャートも省略する。
なお、以下の画像処理システムＳの説明において、理解の容易のために、画像形成装置Ｕａと携帯電話１との間で情報の送受信を行う場合について説明する。
【０１３６】
（全実行可能機能送受信処理の説明）
次に、実施例１の画像処理システムの全実行可能機能送受信処理の説明を行うが、先ず、画像形成装置側の全実行可能機能送受信処理を説明し、その後、携帯型情報端末側の全実行可能機能送受信処理を説明する。
（画像形成装置の全実行可能機能送受信処理のフローチャートの説明）
図１３は実施例１の画像処理システムの画像形成装置側の全実行可能機能送受信処理のフローチャートである。
図１３のフローチャートの各ＳＴ（ステップ）の処理は、前記コントローラＣのＲＯＭやハードディスクに記憶されたプログラムに従って行われる。また、この処理は画像形成装置Ｕａの他の各種処理と並行して実行される。
図１３に示す全実行可能機能送受信処理は画像形成装置Ｕａの電源オンにより開始される。
【０１３７】
図１３のＳＴ１において、携帯端末検出情報作成手段Ｃ１４Ａで作成された携帯端末検出情報を無線により送信する。そして、ＳＴ２に移る。
ＳＴ２において、検出応答時間計時タイマＴＭ１に検出応答時間ｔ１をセットする。そして、ＳＴ３に移る。
ＳＴ３において、無線送信した携帯端末検出情報に対する応答である携帯端末検出応答情報を受信したか否かを判別する。ノー（Ｎ）の場合はＳＴ４に移り、イエス（Ｙ）の場合はＳＴ７に移る。
ＳＴ４において、携帯電話１（携帯型情報端末）から送信された機能要求情報を受信したか否かを判別する。ノー（Ｎ）の場合はＳＴ５に移り、イエス（Ｙ）の場合はＳＴ９に移る。
【０１３８】
ＳＴ５において、前記検出応答時間計時タイマＴＭ１がタイムアップしたか否か、即ち、前記検出応答時間ｔ１が経過したか否かを判別する。ノー（Ｎ）の場合はＳＴ３に戻り、イエス（Ｙ）の場合はＳＴ６に移る。
ＳＴ６において、携帯端末検出応答情報記憶手段Ｃ１３Ａに記憶された携帯電話１の識別情報を削除する。即ち、検出応答時間ｔ１内に応答が無いので、画像形成装置Ｕａの近傍にあった携帯電話１が画像形成装置Ｕａから離れたと判別され、記憶されていた識別情報が削除される。
【０１３９】
ＳＴ７において、受信した携帯端末検出応答情報に含まれる識別情報が、未だ携帯端末検出応答情報記憶手段Ｃ１３Ａに記憶されていないか否かを判別する。即ち、定期的に送信される携帯端末検出情報に対する応答である携帯端末検出応答情報を初めて受信したか否かを判別する。イエス（Ｙ）の場合（識別情報が記憶されていない場合）はＳＴ８に移り、ノー（Ｎ）の場合はＳＴ１に戻る。
ＳＴ８において、受信した携帯端末検出応答情報に含まれる識別情報を携帯端末検出応答情報記憶手段Ｃ１３Ａに記憶する。即ち、携帯電話１が画像形成装置Ｕａ近傍にあることを記憶する。そして、ＳＴ９に移る。
ＳＴ９において、全実行可能機能情報を作成し、送信する。そして、ＳＴ１に戻る。
【０１４０】
前記ＳＴ１〜ＳＴ９の一連の処理によって、携帯型情報端末から無線送信される端末送信情報を受信した画像形成装置の全実行可能機能情報を無線送信する全実行可能機能情報送信工程が構成されている。なお、前記ＳＴ１，ＳＴ２の携帯端末検出情報を定期的に送信する処理と、ＳＴ２〜ＳＴ９の携帯端末検出応答情報等の受信に応じて実行する各処理とを並行して実行するように構成することも可能である。
【０１４１】
（携帯型情報端末の全実行可能機能送受信処理のフローチャートの説明）
図１４は実施例１の画像処理システムの携帯型情報端末側の全実行可能機能送受信処理のフローチャートである。
図１４のフローチャートの各ＳＴ（ステップ）の処理は、前記コントローラＣのＲＯＭやハードディスクに記憶されたプログラムに従って行われる。また、この処理は画像形成装置Ｕａの他の各種処理と並行して実行される。
図１４に示す全実行可能機能送受信処理は携帯電話１（携帯型情報端末）の電源オンにより開始される。
【０１４２】
図１４のＳＴ１１において、画像形成装置Ｕａから送信された携帯端末検出情報を受信したか否かを判別する。ノー（Ｎ）の場合はＳＴ１２に移り、イエス（Ｙ）の場合はＳＴ１３に移る。
ＳＴ１２において、携帯電話１が画像形成装置Ｕａの近傍から離れたので、携帯端末検出情報記憶手段ＫＣ３Ａに記憶された画像形成装置Ｕａの識別情報を削除する。
ＳＴ１３において、受信した携帯端末検出情報に含まれる画像形成装置Ｕａの識別情報が、未だ携帯端末検出情報記憶手段ＫＣ３Ａに記憶されていないか否かを判別する。イエス（Ｙ）の場合（記憶されていない場合）はＳＴ１４に移り、ノー（Ｎ）の場合（記憶されている場合）はＳＴ１１に戻る。
【０１４３】
ＳＴ１４において、次の処理（１）、（２）を実行してＳＴ１５に移る。
（１）記憶されていなかった画像形成装置Ｕａの識別情報を記憶する。
（２）画像形成装置Ｕａに対して携帯端末検出応答情報を送信する。
ＳＴ１５において、画像形成装置Ｕａから送信される全実行可能機能情報を受信したか否かを判別する。ノー（Ｎ）の場合は全実行可能機能情報を受信するまでＳＴ１５を繰り返し、イエス（Ｙ）の場合はＳＴ１６に移る。
ＳＴ１６において、受信した全実行可能機能を記憶する。そして、ＳＴ１７に移る。
ＳＴ１７において、機能設定ジョブ記憶手段ＫＣ５Ｄに記憶されている（登録されている）機能設定ジョブがあるか否かを判別する。即ち、ジョブ番号ＪＢ＝１の機能設定ジョブが存在するか否かを判別する。イエス（Ｙ）の場合はＳＴ１８に移り、ノー（Ｎ）の場合（１つも登録されていない場合）はＳＴ１１に戻る。
【０１４４】
ＳＴ１８において、画像形成装置Ｕａで実行可能であるか否かを判別する対象の機能設定ジョブを、ジョブ番号ＪＢ＝１の機能設定ジョブに設定する。そして、ＳＴ１９に移る。
ＳＴ１９において、ジョブ番号ＪＢの機能設定ジョブに設定された全ての実行可能機能が受信した前記全実行可能機能に含まれているか否かを判別する。イエス（Ｙ）の場合はＳＴ２０に移り、ノー（Ｎ）の場合（１つでも含まれていない実行可能機能がある場合）はＳＴ２１に移る。
ＳＴ２０において、ジョブ番号ＪＢの機能設定ジョブ実行可能判別フラグＫＦＬをＫＦＬ＝「１」とする。そしてＳＴ２２に移る。
ＳＴ２１において、ジョブ番号ＪＢの機能設定ジョブ実行可能判別フラグＫＦＬをＫＦＬ＝「０」とする。そしてＳＴ２２に移る。
【０１４５】
ＳＴ２２において、ＪＢ＝ＪＢ＋１に設定する。即ち、ジョブ番号ＪＢに１を加算し、判別対象を次のジョブ番号ＪＢの機能設定ジョブに設定する。そして、ＳＴ２３に移る。
ＳＴ２３において、ジョブ番号ＪＢの機能設定ジョブが存在するか（登録されているか）否かを判別する。イエス（Ｙ）の場合はＳＴ１９に戻り、ノー（Ｎ）の場合は機能設定ジョブが実行可能か否かの判別を終了してＳＴ１１に戻る。
前記ＳＴ１８〜ＳＴ２３の一連の処理によって、機能設定ジョブを記憶する携帯型情報端末１，２において、機能設定ジョブに設定された実行可能機能が受信した全実行可能機能に含まれているか否かを判別する機能設定ジョブ実行可否判別工程が構成されている。
【０１４６】
（機能設定ジョブ実行・検索処理の説明）
次に、実施例１の画像処理システムの機能設定ジョブ実行・検索処理の説明を行うが、先ず、携帯型情報端末側の機能設定ジョブ実行・検索処理を説明し、その後、画像形成装置側の機能設定ジョブ実行・検索処理を説明する。
（携帯型情報端末の機能設定ジョブ実行・検索処理のフローチャートの説明）
図１５は実施例１の画像処理システムの携帯型情報端末側の機能設定ジョブ実行・検索処理のフローチャートである。
図１５のフローチャートの各ＳＴ（ステップ）の処理は、前記コントローラＣのＲＯＭやハードディスクに記憶されたプログラムに従って行われる。また、この処理は携帯電話１の他の各種処理と並行して実行される。
図１５に示す機能設定ジョブ実行・検索処理は携帯電話１の電源オンにより開始される。
【０１４７】
図１５のＳＴ３１において、前記機能設定ジョブ用メイン画像２０の「ジョブメモリ選択」を指定する入力がされたか否か、即ち、機能設定ジョブ選択画像２３を表示することを指定する入力がされたか否かを判別する。イエス（Ｙ）の場合はＳＴ３２に移り、ノー（Ｎ）の場合はＳＴ３１を繰り返す。
ＳＴ３２において、機能設定ジョブ選択画像２３（図８参照）を表示画面６に表示する。そして、ＳＴ３３に移る。
ＳＴ３３において、機能設定ジョブ選択画像２３のいずれかの機能設定ジョブを指定する入力がされたか否かを判別する。イエス（Ｙ）の場合はＳＴ３４に移り、ノー（Ｎ）の場合はＳＴ３３を繰り返す。
【０１４８】
ＳＴ３４において、ユーザの入力により指定された機能設定ジョブ（即ち、ユーザ指定ジョブ）のジョブ設定実行可能判別フラグＫＦＬがＫＦＬ＝「１」であるか否かを判別する。即ち、画像形成装置Ｕａで実行可能であると判別され、機能設定ジョブ選択画像２３においてシェード処理されていない機能設定ジョブをユーザが指定したか否かを判別する。イエス（Ｙ）の場合はＳＴ３５に移り、ノー（Ｎ）の場合はＳＴ４０に移る。
ＳＴ３５において、実行可能な機能設定ジョブの実行開始がユーザの入力により指定されたので（即ち、実行対象ジョブがユーザにより選択されたので）、機能設定ジョブ実行開始画像２４（図９参照）を表示画面６に表示する。そして、ＳＴ３６に移る。
【０１４９】
ＳＴ３６において、前記機能設定ジョブ実行開始画像２４の「スタート」を指定する入力がされたか否かを判別する。ノー（Ｎ）の場合はＳＴ３７に移り、イエス（Ｙ）の場合はＳＴ３９に移る。
ＳＴ３７において、前記機能設定ジョブ実行開始画像２４において印刷部数の入力がされたか否かを判別する。イエス（Ｙ）の場合はＳＴ３８に移り、ノー（Ｎ）の場合はＳＴ３６に戻る。
ＳＴ３８において、ＳＴ３７のおけるユーザの入力に応じて、機能設定ジョブ実行開始画像２４の表示を更新する。そしてＳＴ３６に移る。
ＳＴ３９において、実行対象ジョブの実行がユーザにより選択されたので、印刷部数のデータも含む実行対象ジョブ情報を作成し、画像形成装置Ｕａに送信する。そして、ＳＴ３１に戻る。
【０１５０】
ＳＴ４０において、画像形成装置Ｕａで実行不可能な機能設定ジョブの検索の実行がユーザの入力により指定されたので（即ち、検索対象ジョブがユーザにより選択されたので）、機能設定ジョブ検索開始画像２５（図１０参照）を表示画面６に表示する。そして、ＳＴ４１に移る。
ＳＴ４１において、機能設定ジョブ検索開始画像２５の「スタート」を指定する入力がされたか否かを判別する。イエス（Ｙ）の場合はＳＴ４２に移り、ノー（Ｎ）の場合はＳＴ４１を繰り返す。
ＳＴ４２において、検索要求情報及び検索対象ジョブ情報を画像形成装置Ｕａに送信する。そして、ＳＴ４３に移る。
ＳＴ４３において、画像形成装置Ｕａから送信される検索結果情報を受信したか否かを判別する。イエス（Ｙ）の場合はＳＴ４４に移り、ノー（Ｎ）の場合はＳＴ４３を繰り返す。
ＳＴ４４において、受信した判別結果に基づいて、検索結果画像２６（図１１参照）を表示画面６に表示する。そして、ＳＴ３１に戻る。
【０１５１】
前記ＳＴ３１〜ＳＴ３９の一連の処理によって、ユーザの入力によりジョブの実行開始の指定があった機能設定ジョブに設定された実行可能機能のデータを画像形成装置Ｕａに送信する実行対象ジョブ情報送信工程が構成されている。また、ＳＴ３１〜ＳＴ３４，ＳＴ４０〜ＳＴ４４の一連の処理によって、ユーザの入力によりジョブの検索開始の指定があった検索対象ジョブを実行可能な画像形成装置の検索を行うために検索対象ジョブに設定された実行可能機能のデータを画像形成装置Ｕａに送信する検索対象ジョブ情報送信工程が構成されている。
【０１５２】
（画像形成装置の機能設定ジョブ実行・検索処理のフローチャートの説明）
図１６は実施例１の画像処理システムの画像形成装置側の機能設定ジョブ実行・検索処理のフローチャートである。
図１６のフローチャートの各ＳＴ（ステップ）の処理は、前記コントローラＣのＲＯＭやハードディスクに記憶されたプログラムに従って行われる。また、この処理は画像形成装置Ｕａの他の各種処理と並行して実行される。
図１６に示す機能設定ジョブ実行・検索処理は画像形成装置Ｕａの電源オンにより開始される。
【０１５３】
図１６のＳＴ５１において、ユーザがユーザインタフェースＵＩのジョブメモリ設定キー（機能設定ジョブキー）ＵＩ５の入力し、各種操作を行って、機能設定ジョブ（即ち、装置設定ジョブ）の設定を行ったか否かを判別する。イエス（Ｙ）の場合はＳＴ５２に移り、ノー（Ｎ）の場合はＳＴ５３に移る。
ＳＴ５２において、ＳＴ５１において設定された機能設定ジョブを装置設定ジョブとして記憶する。そして、ＳＴ５１に戻る。
ＳＴ５３において、コピースタートキーＵＩ１がオンされたか否かを判別する。イエス（Ｙ）の場合はＳＴ５４に移り、ノー（Ｎ）の場合はＳＴ５５に移る。
ＳＴ５４において、ユーザの指定（装置設定ジョブやその他の指定入力）に応じてジョブを実行する。そして、ＳＴ５７に移る。
【０１５４】
ＳＴ５５において、携帯電話１から送信されたジョブ実行命令情報及び実行対象ジョブ情報を含む端末送信情報を画像形成装置Ｕａが受信したか否かを判別する。即ち、前記図１５のＳＴ３９の処理において携帯電話１から送信される実行可能な実行対象ジョブの実行の命令であるジョブ実行命令情報を受信したか否かを判別する。イエス（Ｙ）の場合はＳＴ５６に移り、ノー（Ｎ）の場合はＳＴ６０に移る。
ＳＴ５６において、受信した実行対象ジョブを実行する。そして、ＳＴ５７に移る。
【０１５５】
ＳＴ５７において、ジョブが終了したか否かを判別する。イエス（Ｙ）の場合はＳＴ５８に移り、ノー（Ｎ）の場合はＳＴ５７を繰り返す。
ＳＴ５８において、実行されたジョブ（ＳＴ５７の処理で終了したジョブ）は装置設定ジョブであるか否かを判別する。イエス（Ｙ）の場合はＳＴ５９に移り、ノー（Ｎ）の場合はＳＴＳＴ５１に戻る。
ＳＴ５９において、携帯端末検出応答情報記憶手段Ｃ１３Ａに記憶された識別情報に基づいて、装置設定ジョブ情報を作成し、携帯電話１に送信する。そして、ＳＴ５１に戻る。
【０１５６】
ＳＴ６０において、携帯電話１から送信された検索要求情報及び検索対象ジョブ情報を含む端末送信情報を画像形成装置Ｕａが受信したか否かを判別する。イエス（Ｙ）の場合はＳＴ６１に移り、ノー（Ｎ）の場合はＳＴ６２に移る。
ＳＴ６１において、受信した実行対象ジョブを実行可能なネットワーク接続画像形成装置Ｕｂ，Ｕｃを検索し、携帯電話１に検索結果（判別結果）を送信する検索対象ジョブ実行可能装置検索処理（後述の図１７のサブルーチン参照）を実行する。そして、ＳＴ５１に戻る。
【０１５７】
ＳＴ６２において、他の画像形成装置（端末送受信画像形成装置）Ｕｂ，Ｕｃが携帯型情報端末１，２から送信された検索要求情報を受信し、他の画像形成装置Ｕｂ，Ｕｃから画像形成装置Ｕａ（ネットワーク接続画像形成装置）に対して送信された判別要求情報を画像形成装置Ｕａが受信したか否かを判別する。イエス（Ｙ）の場合はＳＴ６３に移り、ノー（Ｎ）の場合はＳＴ５１に戻る。
ＳＴ６３において、受信した判別要求情報に対する応答である判別情報を、判別要求情報を送信した他の画像形成装置Ｕｂ、Ｕｃに対して送信する（返信する）。そして、ＳＴ５１に戻る。
前記ＳＴ５５〜ＳＴ５９の一連の処理によって、受信した実行対象ジョブに設定された実行可能機能のデータに基づいて、ジョブを実行する画像形成工程が構成されている。
【０１５８】
（検索対象ジョブ実行可能装置検索処理のサブルーチンのフローチャートの説明）
図１７は、図１６のＳＴ６１の検索対象ジョブ実行可能装置検索処理のサブルーチンのフローチャートである。
図１７のＳＴ７１において、前記ネットワーク接続画像形成装置記憶手段Ｃ２４に記憶された識別情報に基づいて、画像形成装置Ｕａにネットワーク接続された全ての画像形成装置Ｕｂ，Ｕｃに対して、判別要求情報を送信する。そして、ＳＴ７２に移る。
【０１５９】
ＳＴ７２において、ネットワーク接続画像形成装置Ｕｂ，Ｕｃのいずれかから送信される判別情報を、画像形成装置Ｕａが受信したか否かを判別する。イエス（Ｙ）の場合はＳＴ７３に移り、ノー（Ｎ）の場合はＳＴ７２を繰り返す。
ＳＴ７３において、前記図１６のＳＴ６０で受信した検索対象ジョブに設定された実行可能機能全てが、ネットワーク接続画像形成装置Ｕｂ，Ｕｃから送信された判別情報に含まれているか否かを判別する。イエス（Ｙ）の場合はＳＴ７４に移り、ノー（Ｎ）の場合はＳＴ７５に移る。
ＳＴ７４において、判別情報を送信したネットワーク接続画像形成装置Ｕｂ，Ｕｃの検索対象ジョブ実行可能判別フラグＦＬをＦＬ＝「１」とする。
ＳＴ７５において、判別情報を送信したネットワーク接続画像形成装置Ｕｂ，Ｕｃの検索対象ジョブ実行可能判別フラグＦＬをＦＬ＝「０」とする。
【０１６０】
ＳＴ７６において、全てのネットワーク接続画像形成装置Ｕｂ，Ｕｃの判別が終了したか否かを判別する。イエス（Ｙ）の場合はＳＴ７７に移り、ノー（Ｎ）の場合はＳＴ７２に戻る。
ＳＴ７７において、実行可能なネットワーク接続画像形成装置Ｕｂ，Ｕｃの識別情報をリスト化した検索結果情報を作成する。そして、ＳＴ７８に移る。
ＳＴ７８において、検索要求情報を送信した携帯電話１（携帯型情報端末）に検索結果情報を送信する。そして、図１７の検索対象ジョブ実行可能装置検索処理を終了して図１６のＳＴ６１に戻る。
【０１６１】
（装置設定ジョブ登録処理のフローチャートの説明）
次に、前記図１６の画像形成装置の機能設定ジョブ実行・検索処理のＳＴ５９において、画像形成装置Ｕａから送信された装置設定ジョブ情報を携帯電話１が受信した場合の装置設定ジョブ登録処理を説明する。前記装置設定ジョブ登録処理は、携帯電話１の他の処理と並行して実行される
図１８は、実施例１の画像処理システムの携帯型情報端末の装置設定ジョブ登録処理のフローチャートである。
図１８のＳＴ８１において、画像形成装置Ｕａから送信された装置設定ジョブ情報を携帯電話１が受信したか否かを判別する。イエス（Ｙ）の場合はＳＴ８２に移り、ノー（Ｎ）の場合はＳＴ８１を繰り返す。
【０１６２】
ＳＴ８２において、受信した装置設定ジョブが、既に携帯電話１の機能設定ジョブ記憶手段に記憶されているか否かを判別する。即ち、装置設定ジョブと同一の機能設定ジョブが登録されているか否かを判別する。即ち、装置設定ジョブに設定された実行可能機能と同一の実行可能機能が設定された機能設定ジョブが既に登録されているか否かを判別する。ノー（Ｎ）の場合はＳＴ８３に移り、イエス（Ｙ）の場合はＳＴ８４に移る。
ＳＴ８３において、装置設定ジョブが、登録されている機能設定ジョブと同一なので、受信した装置設定ジョブ情報を破棄する。そして、ＳＴ８１に戻る。
ＳＴ８４において、装置設定ジョブ画像２２（図７参照）を表示画面６に表示する。そして、ＳＴ８５に移る。
【０１６３】
ＳＴ８５において、装置設定ジョブのジョブ名称を設定する入力がされたか否かを判別する。イエス（Ｙ）の場合はＳＴ８６に移り、ノー（Ｎ）の場合はＳＴ８７に移る。
ＳＴ８６において、ユーザの入力に応じて装置設定ジョブ画像２２の表示を更新する。そして、ＳＴ８５に戻る。
ＳＴ８７において、装置設定ジョブ画像２２の「保存」を指定する入力があったか否かを判別する。イエス（Ｙ）の場合はＳＴ８８に移り、ノー（Ｎ）の場合はＳＴ８９に移る。
ＳＴ８８において、受信した装置設定ジョブとジョブ名称を機能設定ジョブとして記憶する（登録する）。そして、ＳＴ９１に移る。
【０１６４】
ＳＴ８９において、前記装置設定ジョブ画像２２の「破棄」を指定する入力があったか否かを判別する。イエス（Ｙ）の場合はＳＴ９０に移り、ノー（Ｎ）の場合はＳＴ８５に戻る。
ＳＴ９０において、受信した装置設定ジョブ情報を破棄する。そして、ＳＴ９１に移る。
ＳＴ９１において、装置設定ジョブ画像２２を閉じる。そして、ＳＴ８１に戻る。
【０１６５】
なお、前記画像形成装置Ｕａは、図１３に示す全実行可能機能送受信処理と、図１６に示す機能設定ジョブ実行・検索処理を並行して実行するが、所定のステップ（ＳＴ）実行中は、一方の処理を中断するよう構成することも可能である。
例えば、図１６のＳＴ５４またはＳＴ５６におけるジョブ実行中や、ＳＴ６１の検索対象ジョブ実行可能装置検索処理の実行中は、図１３の全実行可能機能送受信処理を中断するように構成することも可能である。
また、前記携帯型情報端末では、図１４に示す全実行可能機能送受信処理と、図１５に示す機能設定ジョブ実行・検索処理と、図１８に示す装置設定ジョブ登録処理とを並行して実行しているが、前記いずれか１つの処理を実行中は、他の２つの処理を中断するように構成することも可能である。また、前記３つの処理に優先順位を付け、いずれか１つの処理実行中でも優先順位の高い処理が開始された場合、実行中の処理を一時保存し中断するよう構成することも可能である。
【０１６６】
（実施例１の作用）
前記構成を備えた実施例１の画像処理システムでは、画像形成装置Ｕａ〜Ｕｃから、定期的に携帯端末検出情報が送信されている（ＳＴ１〜ＳＴ５参照）。ユーザが携帯型情報端末１，２を携帯した状態で、画像形成装置Ｕａ〜Ｕｃと無線により情報の送受信ができる距離まで前記画像形成装置Ｕａ〜Ｕｃに接近すると、画像形成装置Ｕａ〜Ｕｃから携帯型情報端末１，２へ全実行可能機能情報が送信される（ＳＴ７〜ＳＴ９参照）。前記全実行可能機能情報を受信した携帯型情報端末１，２では、登録された機能設定ジョブが接近した画像形成装置Ｕａ〜Ｕｃで実行可能であるか否かの判別が実行される（ＳＴ１７〜ＳＴ２３参照）。なお、無線通信の通信状態が悪い等の原因によって全実行可能機能情報の受信エラーが発生した場合に、ユーザの入力により機能要求情報を画像形成装置Ｕａ〜Ｕｃに送信することによって全実行可能機能情報を受信し、前記判別を行うことも可能である。
【０１６７】
そして、携帯型情報端末１，２のユーザインタフェースＵＩへのユーザの入力により機能設定ジョブ選択画像２３（図８参照）を表示する入力があった場合に、機能設定ジョブ選択画像２３が表示画面６に表示される。前記機能設定ジョブ選択画像２３では、前記全実行可能機能情報に基づいた判別結果に応じて、実行不可能な機能設定ジョブがシェード処理されて表示される。
そして、機能設定ジョブ選択画像２３において、ユーザが実行可能な機能設定ジョブ（シェード処理されていない実行可能画像２３ａで表示された機能設定ジョブ）を指定する入力をした場合、機能設定ジョブ実行開始画像２４（図９参照）が表示される。そして、機能設定ジョブ実行開始画像２４の「スタート」が選択されると、実行対象ジョブ情報が送信される（ＳＴ３４〜ＳＴ３９参照）。前記実行対象ジョブ情報を受信した画像形成装置Ｕａ〜Ｕｃでは、前記実行対象ジョブに設定された実行可能機能に基づいてジョブが実行される（ＳＴ５５，ＳＴ５６参照）。
【０１６８】
一方、前記機能設定ジョブ選択画像２３において、ユーザが実行不可能な機能設定ジョブ（シェード処理された実行不可能画像２３ｂで表示された機能設定ジョブ）を指定する入力をした場合、機能設定ジョブ検索開始画像２５（図１０参照）が表示される。そして、機能設定ジョブ検索開始画像２５で「スタート」の入力がされた場合、検索要求情報及び検索対象ジョブ情報が画像形成装置Ｕａ〜Ｕｃに送信される（ＳＴ４１，ＳＴ４２参照）。前記検索要求情報等を受信した画像形成装置（端末送受信画像形成装置）Ｕａ〜Ｕｃは、ネットワークに接続された画像形成装置（ネットワーク接続画像形成装置）Ｕａ〜Ｕｃに対して判別情報の送信を要求するための判別要求情報を送信する（ＳＴ７１参照）。前記判別要求情報を受信したネットワーク接続画像形成装置Ｕａ〜Ｕｃは、全実行可能機能情報と同一の情報である判別情報を返信する。
【０１６９】
そして、判別情報を受信した端末送受信画像形成装置は、受信した判別情報と、検索対象ジョブに設定された実行可能機能のデータとに基づいて、ネットワーク接続画像形成装置Ｕａ〜Ｕｃにおいて検索対象ジョブが実行可能か否かを判別する（ＳＴ７２〜ＳＴ７６参照）。即ち、検索対象ジョブが実行可能なネットワーク接続画像形成装置の検索が実行される。そして、検索結果が携帯型情報端末１，２に送信され、携帯型情報端末１、２の表示画面６には、検索結果が検索結果画像２６（図１１参照）として表示される（ＳＴ４３，ＳＴ４４参照）。
【０１７０】
また、画像形成装置Ｕａ〜ＵｃのユーザインタフェースＵＩからユーザが入力して設定または登録された装置設定ジョブが実行された場合（ＳＴ５１〜ＳＴ５３参照）、ジョブ終了後に装置設定ジョブの情報が携帯型情報端末１，２に送信される（ＳＴ５８，ＳＴ５９参照）。そして、前記装置設定ジョブ情報を受信した携帯型情報端末１，２の表示画面６には、装置設定ジョブ画像２２（図７参照）が表示され、ユーザの入力に応じて実行された装置設定ジョブが保存される（ＳＴ８１〜ＳＴ９１参照）。
なお、携帯型情報端末１，２に機能設定ジョブを登録（記憶）するには、前記装置設定ジョブを保存する場合の他に、携帯型情報端末１，２のＵＩを操作して、機能設定ジョブ設定画像２１（図７）を表示し、入力することにより、機能設定ジョブの設定・登録を行う場合もある。
【０１７１】
したがって、実施例１の画像処理システムでは、機能設定ジョブの設定・登録作業や、機能設定ジョブの実行、機能設定ジョブを実行可能な画像形成装置Ｕａ〜Ｕｃの検索の作業を携帯型情報端末１，２のユーザインタフェースＵＩへの入力によって行うことができる。したがって、画像形成装置Ｕａ〜Ｕｃ毎に実行しなければならなかったジョブの設定や実行等の指示を、携帯型情報端末１，２から行うことができる。即ち、画像形成装置Ｕａ〜Ｕｃ毎に、機能設定ジョブを登録しなくても、携帯型情報端末１，２に記憶しておき、機能設定ジョブの情報を送信することによって画像形成装置Ｕａ〜Ｕｃで機能設定ジョブを実行できる。したがって、ユーザの作業を省力化できる。
また、携帯型情報端末１、２のＵＩの操作方法を記憶するだけで各作業を行うことができるので、画像形成装置Ｕａ〜Ｕｃの機種毎に異なるＵＩの操作方法をユーザが記憶したり、マニュアルを確認する必要が無くなる。したがって、ＵＩが統一されるので、ジョブの設定等の作業を省力化できると共に、操作方法の機種依存性をなくすことができる。
【０１７２】
また、画像形成装置Ｕａ〜Ｕｃから送信された全実行可能機能情報に基づいて、携帯型情報端末１，２に登録された機能設定ジョブが実行可能であるか否かの判別が実行されるので、ユーザが画像形成装置Ｕａ〜Ｕｃが備えている実行可能機能を記憶したり、マニュアルを参照して確認しなくても、登録された機能設定ジョブが実行可能であるか否かをユーザが認識できる。したがって、ユーザが実行したい機能設定ジョブの確認を省力化できるので、結果として機能設定ジョブの実行作業を省力化できる。
【０１７３】
さらに、全実行可能機能を受信した画像形成装置Ｕａ〜Ｕｃでは実行不可能な機能設定ジョブを実行できる画像形成装置Ｕａ〜Ｕｃの検索ができる。したがって、この結果、各画像形成装置の有する実行可能機能を記憶等しなくても、ユーザが実行したい機能設定ジョブの実行可能機能を有する画像形成装置Ｕａ〜Ｕｃを速やかに確認でき、実行可能な画像形成装置Ｕａ〜Ｕｃで速やかにジョブを実行できる。
【０１７４】
また、画像形成装置Ｕａ〜Ｕｃで設定した装置設定ジョブの情報（データ）が携帯型情報端末１，２に送信され、携帯型情報端末１，２で機能設定ジョブとして記憶することができる。したがって、例えば、外出先の画像形成装置Ｕａ〜Ｕｃで設定した装置設定ジョブを携帯型情報端末１，２に機能設定ジョブとして記憶し、自社の画像形成装置Ｕａ〜Ｕｃで機能設定ジョブ（装置設定ジョブ）を実行できる。即ち、画像形成装置Ｕａ〜Ｕｃ毎に機能設定ジョブの登録をする必要が無くなり、ユーザの作業を省力化できる。また、携帯型情報端末１，２を操作して装置設定ジョブの登録や実行の指定を行うので、画像形成装置Ｕａ〜ＵｃのＵＩの操作方法が異なる場合には、操作方法を記憶したりマニュアル等を参照して確認する必要がない。即ち、ＵＩの操作の機種依存性を無くすことができる。
【産業上の利用可能性】
【０１７５】
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ09）を下記に例示する。
（Ｈ01）本発明の画像処理システムの画像形成装置として、ＦＡＸやプリンタ等の機能を備えた複合機や、ＦＡＸ、プリンタ等の画像形成装置を使用可能である。
【０１７６】
（Ｈ02）前記実施例１において、検索を実行する際に、ネットワーク接続画像形成装置から端末送受信画像形成装置に全実行可能機能と同一の判別情報が送信され、端末送受信画像形成装置で検索対象ジョブの実行可能の判別が行われたが、これに替えて、例えば、端末送受信画像形成装置からネットワーク接続画像形成装置に検索対象ジョブ情報を送信し、各ネットワーク接続画像形成装置で実行可能・不可能の判別を行って判別結果を判別情報として端末送受信画像形成装置に返信し、端末送受信画像形成装置で返信された判別結果に基づいて実行可能な画像形成装置をリスト化して携帯型情報端末に検索結果として送信するように構成することも可能である。
【０１７７】
（Ｈ03）前記実施例１において、端末送受信画像形成装置の近傍に携帯型情報端末が接近した場合に全実行可能機能情報を自動的に受信するように構成されているが、全実行可能機能の送信を要求するユーザの入力があった場合のみに全実行可能機能情報を受信するように構成することも可能である。
（Ｈ04）前記実施例1において、端末送受信画像形成装置の近傍に携帯型情報端末が接近した場合に全実行可能機能情報を自動的に受信するので、検索を実行する際に端末送受信画像形成装置が検索対象ジョブを実行できないことが分かっているため、端末送受信画像形成装置で検索対象ジョブを実行できるか否かの判別は実行されない。しかし、自動的に全実行可能機能情報を受信しない場合、端末送受信画像形成装置で検索対象ジョブが実行可能であるか否かの判別を行い、ネットワーク接続画像形成装置の判別結果も含めて検索結果として携帯型情報端末に送信するように構成することも可能である。
【０１７８】
（Ｈ05）前記実施例１の画像処理システムは、複数台の携帯型情報端末と、複数台の画像形成装置が使用可能であるため、識別情報を使用したが、使用される携帯型情報端末と画像形成装置とが予め決まっており、識別する必要がなければ、識別情報を使用しないことも可能である。即ち、識別情報を加えない端末送信情報や装置送信情報等を使用することも可能である。
（Ｈ06）本発明の画像処理システムは、画像形成装置は複数台である必要は無く、１台の画像形成装置と１台の携帯型情報端末であっても良い。この場合、ネットワーク接続画像形成装置が存在しないので、検索処理は行われない。
【０１７９】
（Ｈ07）前記実施例１において、携帯型情報端末１，２で機能設定ジョブの設定を行う際に、全実行可能機能を受信した後は、受信した全実行可能機能の範囲内でジョブの設定を可能とするように構成することができる。これにより、全実行可能機能を送信した画像形成装置で実行可能な機能設定ジョブの設定を携帯型情報端末で行うことができる。即ち、画像形成装置のＵＩを操作せず、携帯型情報端末のＵＩを操作して、機能設定ジョブの設定を行うことができる。したがって、画像形成装置の機種毎に異なるＵＩの操作方法に依存しないので、機種依存性を無くすことができる。
【０１８０】
（Ｈ08）前記実施例１において、全実行可能機能を送信した画像形成装置で実行できない機能設定ジョブを選択した場合に、検索が実行されるように構成されていたが、ユーザの入力に応じて検索対象の機能設定ジョブを選択する検索対象ジョブ選択用画像（機能設定ジョブ選択画像２３とは異なる画像）を表示し、ユーザの指定に応じて検索を実行するように構成することができる。例えば、機能設定ジョブ用メイン画像２０に、「デバイスの検索」の画像を表示して、「デバイスの検索」をユーザが選択した場合に前記検索対象ジョブ選択用画像を表示するよう構成することも可能である。
【０１８１】
（Ｈ09）前記実施例１において、ネットワークに接続された画像形成装置Ｕａ〜Ｕｃの全てが無線送受信可能に構成されていたが、無線送受信不可能なネットワーク接続画像形成装置をネットワーク接続することも可能である。この場合、検索対象ジョブが実行可能であるか否かの検索対象とはなるが、無線により情報の送受信が不可能なので、機能設定ジョブを実行する際に、携帯型情報端末１，２から情報を送信してジョブを実行させることはできない。但し、検索対象ジョブが実行可能であるか否かの判別ができるので、無線送受信不可能なネットワーク接続画像形成装置の有する実行可能機能を記憶したり、マニュアルで確認する必要が無くなるため、ユーザの作業を省力化することができる。
【図面の簡単な説明】
【０１８２】
【図１】図１は本発明の画像処理システムの実施例１の説明図である。
【図２】図２は前記図１に示す印刷処理システムの画像形成装置の機能をブロック図（機能ブロック図）で示した図である。
【図３】図３は実施例１の画像処理システムの画像形成装置の機能をブロック図で示した図であり、前記図２の続きのブロック図である。
【図４】図４は前記図１に示す印刷処理システムの携帯型情報端末の機能をブロック図（機能ブロック図）で示した図である。
【図５】図５は、実施例１の携帯型情報端末の表示画面に表示される機能設定ジョブ用メイン画像の説明図である。
【図６】図６は、実施例１の携帯型情報端末の表示画面に表示される機能設定ジョブ設定画像の説明図である。
【図７】図７は実施例１の携帯型情報端末の表示画面に表示される装置設定ジョブ画像の説明図である。
【図８】図８は実施例１の携帯型情報端末の表示画面に表示される機能設定ジョブ選択画像の説明図である。
【図９】図９は実施例１の携帯型情報端末の表示画面に表示される機能設定ジョブ実行開始画像の説明図である。
【図１０】図１０は実施例１の携帯型情報端末の表示画面に表示される機能設定ジョブ検索開始画像の説明図である。
【図１１】図１１は実施例１の携帯型情報端末の表示画面に表示される検索結果画像の説明図である。
【図１２】図１２は実施例１の携帯型情報端末の表示画面に表示される全実行可能機能要求画像の説明図である。
【図１３】図１３は実施例１の画像処理システムの画像形成装置側の全実行可能機能送受信処理のフローチャートである。
【図１４】図１４は実施例１の画像処理システムの携帯型情報端末側の全実行可能機能送受信処理のフローチャートである。
【図１５】図１５は実施例１の画像処理システムの携帯型情報端末側の機能設定ジョブ実行・検索処理のフローチャートである。
【図１６】図１６は実施例１の画像処理システムの画像形成装置側の機能設定ジョブ実行・検索処理のフローチャートである。
【図１７】図１７は、図１６のＳＴ６１の検索対象ジョブ実行可能装置検索処理のサブルーチンのフローチャートである。
【図１８】図１８は、実施例１の画像処理システムの携帯型情報端末の装置設定ジョブ登録処理のフローチャートである。
【符号の説明】
【０１８３】
１，２…携帯型情報端末、
６…表示画面、
２２…装置設定ジョブ画像、
２３…ジョブ実行可能判別結果画像、
２６…検索結果画像、
Ｕａ〜Ｕｃ…画像形成装置、
Ｃ１…ジョブ制御手段、
Ｃ５…機能設定ジョブ設定手段、
Ｃ５Ｂ…実行可能機能記憶手段、
Ｃ５Ｂ…実行可能機能記憶手段、
Ｃ５Ｃ…装置設定ジョブ記憶手段、
Ｃ１１…端末送信情報受信手段，実行対象ジョブ情報受信手段，検索要求情報受信手段、
Ｃ１５…全実行可能機能情報送信手段，装置設定ジョブ情報送信手段，検索結果情報送信手段、
Ｃ２１…判別情報受信手段，判別要求情報受信手段、
Ｃ２６…検索対象ジョブ実行可能装置判別手段、
Ｃ２８…判別要求情報送信手段，判別情報送信手段、
ＫＣ１…全実行可能機能情報受信手段，装置設定ジョブ情報受信手段，検索結果情報受信手段、
ＫＣ５Ｃ…装置設定ジョブ画像表示手段、
ＫＣ５Ｄ…機能設定ジョブ記憶手段、
ＫＣ６…機能設定ジョブ可否判別手段、
ＫＣ７Ａ…ジョブ実行可能判別結果画像表示手段、
ＫＣ７Ｆ…検索結果画像表示手段、
ＫＣ１１…実行対象ジョブ情報送信手段，検索要求情報送信手段。
【図１】
2005135102.tif 000003
【図２】
2005135102.tif 000004
【図３】
2005135102.tif 000005
【図４】
2005135102.tif 000006
【図５】
2005135102.tif 000007
【図６】
2005135102.tif 000008
【図７】
2005135102.tif 000009
【図８】
2005135102.tif 000010
【図９】
2005135102.tif 000011
【図１０】
2005135102.tif 000012
【図１１】
2005135102.tif 000013
【図１２】
2005135102.tif 000014
【図１３】
2005135102.tif 000015
【図１４】
2005135102.tif 000016
【図１５】
2005135102.tif 000017
【図１６】
2005135102.tif 000018
【図１７】
2005135102.tif 000019
【図１８】
2005135102.tif 000020